(57)【要約】【課題】制御信号に生じる波形の歪みのさらなる低減が可能な液体吐出ヘッド制御回路を提供すること。【解決手段】駆動信号選択回路に供給される第１基準電圧信号を伝搬する第１配線と、復元回路に供給される第２基準電圧信号を伝搬する第２配線と、復元回路に供給される第２基準電圧信号を伝搬する第３配線と、一対の第１差動信号の内の一方の信号を伝搬する第４配線と、一対の第１差動信号の内の他方の信号を伝搬する第５配線と、を備え、第４配線と第５配線とは並んで配置され、第４配線と第５配線とが並ぶ方向に沿って、第４配線と第２配線とが隣り合って位置し、第５配線と第３配線とが隣り合って位置し、第４配線及び第５配線は、第２配線と第３配線との間に位置している、液体吐出ヘッド制御回路。【選択図】図１８
2020104508.tif 000002
【特許請求の範囲】
【請求項１】
ノズルから液体を吐出する液体吐出ヘッドの動作を制御する液体吐出ヘッド制御回路であって、
前記液体吐出ヘッドは、
駆動信号に基づいて駆動することで前記ノズルから液体を吐出させる駆動素子と、
第１制御信号に基づいて前記駆動信号の前記駆動素子への供給を制御する駆動信号選択回路と、
一対の第１差動信号を前記第１制御信号に復元する復元回路と、
前記駆動信号選択回路と電気的に接続される第１端子と、
前記復元回路と電気的に接続される第２端子、第３端子、第４端子、及び第５端子と、
を有し、
前記液体吐出ヘッド制御回路は、
前記第１制御信号の基となる第１基制御信号を前記一対の第１差動信号に変換する変換回路と、
前記第１端子と電気的に接続され、前記駆動信号選択回路に供給される第１基準電圧信号を伝搬する第１配線と、
前記第２端子と電気的に接続され、前記復元回路に供給される第２基準電圧信号を伝搬する第２配線と、
前記第３端子と電気的に接続され、前記復元回路に供給される前記第２基準電圧信号を伝搬する第３配線と、
前記第４端子と電気的に接続され、前記一対の第１差動信号の内の一方の信号を伝搬する第４配線と、
前記第５端子と電気的に接続され、前記一対の第１差動信号の内の他方の信号を伝搬する第５配線と、
前記駆動信号を出力する駆動信号出力回路と、
を備え、
前記第４配線と前記第５配線とは並んで配置され、
前記第４配線と前記第５配線とが並ぶ方向に沿って、
前記第４配線と前記第２配線とが隣り合って位置し、
前記第５配線と前記第３配線とが隣り合って位置し、
前記第４配線及び前記第５配線は、前記第２配線と前記第３配線との間に位置している、
ことを特徴とする液体吐出ヘッド制御回路。
【請求項２】
ノズルから液体を吐出する液体吐出ヘッドの動作を制御する液体吐出ヘッド制御回路であって、
前記液体吐出ヘッドは、
駆動信号に基づいて駆動することで前記ノズルから液体を吐出させる駆動素子と、
第１制御信号に基づいて前記駆動信号の前記駆動素子への供給を制御する駆動信号選択回路と、
一対の第１差動信号を前記第１制御信号に復元する復元回路と、
前記駆動信号選択回路と電気的に接続される第１端子と、
前記復元回路と電気的に接続される第２端子、第３端子、第４端子、及び第５端子と、
を有し、
前記液体吐出ヘッド制御回路は、
前記第１制御信号の基となる第１基制御信号を前記一対の第１差動信号に変換する変換回路と、
前記第１端子と電気的に接続され、前記駆動信号選択回路に供給される第１基準電圧信号を伝搬する第１配線と、
前記第２端子と電気的に接続され、前記復元回路に供給される第２基準電圧信号を伝搬する第２配線と、
前記第３端子と電気的に接続され、前記復元回路に供給される前記第２基準電圧信号を伝搬する第３配線と、
前記第４端子と電気的に接続され、前記一対の第１差動信号の内の一方の信号を伝搬する第４配線と、
前記第５端子と電気的に接続され、前記一対の第１差動信号の内の他方の信号を伝搬する第５配線と、
前記駆動信号を出力する駆動信号出力回路と、
を備え、
前記第４配線と前記第５配線とは並んで配置され、
前記第４配線と前記第５配線とが並ぶ方向と交差する方向において、
前記第２配線は、前記第４配線と一部が重なって位置し、
前記第３配線は、前記第５配線と一部が重なって位置している、
ことを特徴とする液体吐出ヘッド制御回路。
【請求項３】
前記第１基制御信号は、クロック信号の基となる基クロック信号である、
ことを特徴とする請求項１又は２に記載の液体吐出ヘッド制御回路。
【請求項４】
前記第１基制御信号は、前記駆動信号の波形選択を規定する印刷データ信号の基となる基印刷データ信号である、
ことを特徴とする請求項１又は２に記載の液体吐出ヘッド制御回路。
【請求項５】
前記液体吐出ヘッドは、
前記駆動信号選択回路と電気的に接続されている第６端子と、
前記復元回路と電気的に接続されている第７端子と、
を有し、
前記液体吐出ヘッド制御回路は、
前記第６端子と電気的に接続され、前記駆動信号選択回路に供給される前記第１基準電圧信号を伝搬する第６配線と、
前記第７端子と電気的に接続され、前記駆動素子への前記駆動信号の供給のタイミングを規定する第２制御信号を伝搬する第７配線と、
を備え、
前記第４配線と前記第５配線とが並ぶ方向と交差する方向において、
前記第７配線は、前記第１配線及び前記第６配線と隣り合って位置している、
ことを特徴とする請求項１乃至４のいずれか１項に記載の液体吐出ヘッド制御回路。
【請求項６】
駆動信号に基づいて駆動することでノズルから液体を吐出させる駆動素子と、
第１制御信号に基づいて前記駆動信号の前記駆動素子への供給を制御する駆動信号選択回路と、
一対の第１差動信号を前記第１制御信号に復元する復元回路と、
前記駆動信号選択回路と電気的に接続されている第１端子と、
前記復元回路と電気的に接続されている第２端子、第３端子、第４端子、及び第５端子と、
を備え、
前記第１端子には、前記駆動信号選択回路に供給される第１基準電圧信号が入力され、
前記第２端子には、前記復元回路に供給される第２基準電圧信号が入力され、
前記第３端子には、前記復元回路に供給される前記第２基準電圧信号が入力され、
前記第４端子には、前記復元回路に供給される前記一対の第１差動信号の内の一方の信号が入力され、
前記第５端子には、前記復元回路に供給される前記一対の第１差動信号の内の他方の信号が入力され、
前記第４端子と前記第５端子とは並んで配置され、
前記第４端子と前記第５端子とが並ぶ方向に沿って、
前記第４端子と前記第２端子とが隣り合って位置し、
前記第５端子と前記第３端子とが隣り合って位置し、
前記第４端子及び前記第５端子は、前記第２端子と前記第３端子との間に位置している、
ことを特徴とする液体吐出ヘッド。
【請求項７】
駆動信号に基づいて駆動することでノズルから液体を吐出させる駆動素子と、
第１制御信号に基づいて前記駆動信号の前記駆動素子への供給を制御する駆動信号選択回路と、
一対の第１差動信号を前記第１制御信号に復元する復元回路と、
前記駆動信号選択回路と電気的に接続されている第１端子と、
前記復元回路と電気的に接続されている第２端子、第３端子、第４端子、及び第５端子と、
を備え、
前記第１端子には、前記駆動信号選択回路に供給される第１基準電圧信号が入力され、
前記第２端子には、前記復元回路に供給される第２基準電圧信号が入力され、
前記第３端子には、前記復元回路に供給される前記第２基準電圧信号が入力され、
前記第４端子には、前記復元回路に供給される前記一対の第１差動信号の内の一方の信号が入力され、
前記第５端子には、前記復元回路に供給される前記一対の第１差動信号の内の他方の信号が入力され、
前記第４端子と前記第５端子とは並んで配置され、
前記第４端子と前記第５端子とが並ぶ方向と交差する方向において、
前記第２端子は、前記第４端子と一部が重なって位置し、
前記第３端子は、前記第５端子と一部が重なって位置している、
ことを特徴とする液体吐出ヘッド。
【請求項８】
前記第１制御信号は、クロック信号である、
ことを特徴とする請求項６又は７に記載の液体吐出ヘッド。
【請求項９】
前記第１制御信号は、前記駆動信号の波形選択を規定する印刷データ信号である、
ことを特徴とする請求項６又は７に記載の液体吐出ヘッド。
【請求項１０】
前記駆動信号選択回路と電気的に接続されている第６端子と、
前記復元回路と電気的に接続されている第７端子と、
を備え、
前記第６端子には、前記駆動信号選択回路に供給される前記第１基準電圧信号が入力され、
前記第７端子には、前記駆動素子への前記駆動信号の供給のタイミングを規定する第２制御信号が入力され、
前記第４端子と前記第５端子とが並ぶ方向と交差する方向において、
前記第７端子は、前記第１端子及び前記第６端子と隣り合って位置している、
ことを特徴とする請求項６乃至９のいずれか１項に記載の液体吐出ヘッド。
【請求項１１】
ノズルから液体を吐出する液体吐出ヘッドと、
前記液体吐出ヘッドの動作を制御する液体吐出ヘッド制御回路と、
を備え、
前記液体吐出ヘッドは、
駆動信号に基づいて駆動することで前記ノズルから液体を吐出させる駆動素子と、
第１制御信号に基づいて前記駆動信号の前記駆動素子への供給を制御する駆動信号選択回路と、
一対の第１差動信号を前記第１制御信号に復元する復元回路と、
前記駆動信号選択回路と電気的に接続される第１端子と、
前記復元回路と電気的に接続される第２端子、第３端子、第４端子、及び第５端子と、
を有し、
前記液体吐出ヘッド制御回路は、
前記第１制御信号の基となる第１基制御信号を前記一対の第１差動信号に変換する変換回路と、
前記第１端子と電気的に接続され、前記駆動信号選択回路に供給される第１基準電圧信号を伝搬する第１配線と、
前記第２端子と電気的に接続され、前記復元回路に供給される第２基準電圧信号を伝搬する第２配線と、
前記第３端子と電気的に接続され、前記復元回路に供給される前記第２基準電圧信号を伝搬する第３配線と、
前記第４端子と電気的に接続され、前記一対の第１差動信号の内の一方の信号を伝搬する第４配線と、
前記第５端子と電気的に接続され、前記一対の第１差動信号の内の他方の信号を伝搬する第５配線と、
前記駆動信号を出力する駆動信号出力回路と、
を備え、
前記第１配線と前記第１端子とは第１接触部で電気的に接触し、
前記第２配線と前記第２端子とは第２接触部で電気的に接触し、
前記第３配線と前記第３端子とは第３接触部で電気的に接触し、
前記第４配線と前記第４端子とは第４接触部で電気的に接触し、
前記第５配線と前記第５端子とは第５接触部で電気的に接触し、
前記第４接触部と前記第５接触部とは並んで位置し、
前記第４接触部と前記第５接触部とが並ぶ方向に沿って、
前記第４接触部と前記第２接触部とが隣り合って位置し、
前記第５接触部と前記第３接触部とが隣り合って位置し、
前記第４接触部及び前記第５接触部は、前記第２接触部と前記第３接触部との間に位置している、
ことを特徴とする液体吐出装置。
【請求項１２】
ノズルから液体を吐出する液体吐出ヘッドと、
前記液体吐出ヘッドの動作を制御する液体吐出ヘッド制御回路と、
を備え、
前記液体吐出ヘッドは、
駆動信号に基づいて駆動することで前記ノズルから液体を吐出させる駆動素子と、
第１制御信号に基づいて前記駆動信号の前記駆動素子への供給を制御する駆動信号選択回路と、
一対の第１差動信号を前記第１制御信号に復元する復元回路と、
前記駆動信号選択回路と電気的に接続される第１端子と、
前記復元回路と電気的に接続される第２端子、第３端子、第４端子、及び第５端子と、
を有し、
前記液体吐出ヘッド制御回路は、
前記第１制御信号の基となる第１基制御信号を前記一対の第１差動信号に変換する変換
回路と、
前記第１端子と電気的に接続され、前記駆動信号選択回路に供給される第１基準電圧信号を伝搬する第１配線と、
前記第２端子と電気的に接続され、前記復元回路に供給される第２基準電圧信号を伝搬する第２配線と、
前記第３端子と電気的に接続され、前記復元回路に供給される前記第２基準電圧信号を伝搬する第３配線と、
前記第４端子と電気的に接続され、前記一対の第１差動信号の内の一方の信号を伝搬する第４配線と、
前記第５端子と電気的に接続され、前記一対の第１差動信号の内の他方の信号を伝搬する第５配線と、
前記駆動信号を出力する駆動信号出力回路と、
を有し、
前記第１配線と前記第１端子とは第１接触部で電気的に接触し、
前記第２配線と前記第２端子とは第２接触部で電気的に接触し、
前記第３配線と前記第３端子とは第３接触部で電気的に接触し、
前記第４配線と前記第４端子とは第４接触部で電気的に接触し、
前記第５配線と前記第５端子とは第５接触部で電気的に接触し、
前記第４接触部と前記第５接触部とは並んで位置し、
前記第４接触部と前記第５接触部とが並ぶ方向と交差する方向において、
前記第２接触部は、前記第４接触部と一部が重なって位置し、
前記第３接触部は、前記第５接触部と一部が重なって位置している、
ことを特徴とする液体吐出装置。
【請求項１３】
前記第１基制御信号は、クロック信号の基となる基クロック信号である、
ことを特徴とする請求項１１又は１２に記載の液体吐出装置。
【請求項１４】
前記第１基制御信号は、前記駆動信号の波形選択を規定する印刷データ信号の基となる基印刷データ信号である、
ことを特徴とする請求項１１又は１２に記載の液体吐出装置。
【請求項１５】
前記液体吐出ヘッドは、
前記駆動信号選択回路と電気的に接続されている第６端子と、
前記復元回路と電気的に接続されている第７端子と、
を有し、
前記液体吐出ヘッド制御回路は、
前記第６端子と電気的に接続され、前記駆動信号選択回路に供給される前記第１基準電圧信号を伝搬する第６配線と、
前記第７端子と電気的に接続され、前記駆動素子への前記駆動信号の供給のタイミングを規定する第２制御信号を伝搬する第７配線と、
を有し、
前記第６配線と前記第６端子とは第６接触部で電気的に接触し、
前記第７配線と前記第７端子とは第７接触部で電気的に接触し、
前記第４配線と前記第５配線とが並ぶ方向と交差する方向において、
前記第７配線は、前記第１配線及び前記第６配線と隣り合って位置している、
ことを特徴とする請求項１１乃至１４のいずれか１項に記載の液体吐出装置。
【発明の詳細な説明】
【技術分野】
【０００１】
本発明は、液体吐出ヘッド制御回路、液体吐出ヘッド、及び液体吐出装置に関する。
【背景技術】
【０００２】
インクを吐出して画像や文書を印刷するインクジェットプリンターには、ピエゾ素子などの圧電素子を用いたものが知られている。圧電素子は、プリントヘッド（液体吐出ヘッド）において複数のノズルのそれぞれに対応して設けられ、それぞれが駆動信号に従って駆動されることにより、ノズルから所定のタイミングで所定量のインク（液体）が吐出される。これにより、媒体にドットが形成される。
【０００３】
例えば、特許文献１には、クロック信号に同期する印刷データ信号に基づいて複数の圧電素子のそれぞれに供給される駆動信号を選択し、チェンジ信号及ラッチ信号に規定された期間において、当該選択された駆動信号を複数の圧電素子のそれぞれに供給することで、複数の圧電素子のそれぞれに対応するノズルから所定のタイミングにおいて所定量のインクを吐出させる液体吐出装置が開示されている。
【先行技術文献】
【特許文献】
【０００４】
【特許文献１】特開２０１７−１１４０２０号公報
【発明の概要】
【発明が解決しようとする課題】
【０００５】
しかしながら、近年の液体吐出装置における印刷の高速化及び高精細化の要求に伴い、プリントヘッドが有するノズル数が増加している。そのため、プリントヘッドに供給されるクロック信号、印刷データ信号、チェンジ信号、及ラッチ信号等の各種制御信号の伝搬速度の高速化が求められ、その結果、当該制御信号に生じる波形の歪みのさらなる低減が求められている。
【課題を解決するための手段】
【０００６】
本発明に係る液体吐出ヘッド制御回路の一態様は、
ノズルから液体を吐出する液体吐出ヘッドの動作を制御する液体吐出ヘッド制御回路であって、
前記液体吐出ヘッドは、
駆動信号に基づいて駆動することで前記ノズルから液体を吐出させる駆動素子と、
第１制御信号に基づいて前記駆動信号の前記駆動素子への供給を制御する駆動信号選択回路と、
一対の第１差動信号を前記第１制御信号に復元する復元回路と、
前記駆動信号選択回路と電気的に接続される第１端子と、
前記復元回路と電気的に接続される第２端子、第３端子、第４端子、及び第５端子と、
を有し、
前記液体吐出ヘッド制御回路は、
前記第１制御信号の基となる第１基制御信号を前記一対の第１差動信号に変換する変換回路と、
前記第１端子と電気的に接続され、前記駆動信号選択回路に供給される第１基準電圧信号を伝搬する第１配線と、
前記第２端子と電気的に接続され、前記復元回路に供給される第２基準電圧信号を伝搬する第２配線と、
前記第３端子と電気的に接続され、前記復元回路に供給される前記第２基準電圧信号を伝搬する第３配線と、
前記第４端子と電気的に接続され、前記一対の第１差動信号の内の一方の信号を伝搬する第４配線と、
前記第５端子と電気的に接続され、前記一対の第１差動信号の内の他方の信号を伝搬する第５配線と、
前記駆動信号を出力する駆動信号出力回路と、
を備え、
前記第４配線と前記第５配線とは並んで配置され、
前記第４配線と前記第５配線とが並ぶ方向に沿って、
前記第４配線と前記第２配線とが隣り合って位置し、
前記第５配線と前記第３配線とが隣り合って位置し、
前記第４配線及び前記第５配線は、前記第２配線と前記第３配線との間に位置している。
【０００７】
本発明に係る液体吐出ヘッド制御回路の一態様は、
ノズルから液体を吐出する液体吐出ヘッドの動作を制御する液体吐出ヘッド制御回路であって、
前記液体吐出ヘッドは、
駆動信号に基づいて駆動することで前記ノズルから液体を吐出させる駆動素子と、
第１制御信号に基づいて前記駆動信号の前記駆動素子への供給を制御する駆動信号選択回路と、
一対の第１差動信号を前記第１制御信号に復元する復元回路と、
前記駆動信号選択回路と電気的に接続される第１端子と、
前記復元回路と電気的に接続される第２端子、第３端子、第４端子、及び第５端子と、
を有し、
前記液体吐出ヘッド制御回路は、
前記第１制御信号の基となる第１基制御信号を前記一対の第１差動信号に変換する変換回路と、
前記第１端子と電気的に接続され、前記駆動信号選択回路に供給される第１基準電圧信号を伝搬する第１配線と、
前記第２端子と電気的に接続され、前記復元回路に供給される第２基準電圧信号を伝搬する第２配線と、
前記第３端子と電気的に接続され、前記復元回路に供給される前記第２基準電圧信号を伝搬する第３配線と、
前記第４端子と電気的に接続され、前記一対の第１差動信号の内の一方の信号を伝搬する第４配線と、
前記第５端子と電気的に接続され、前記一対の第１差動信号の内の他方の信号を伝搬する第５配線と、
前記駆動信号を出力する駆動信号出力回路と、
を備え、
前記第４配線と前記第５配線とは並んで配置され、
前記第４配線と前記第５配線とが並ぶ方向と交差する方向において、
前記第２配線は、前記第４配線と一部が重なって位置し、
前記第３配線は、前記第５配線と一部が重なって位置している。
【０００８】
前記液体吐出ヘッド制御回路の一態様において、
前記第１基制御信号は、クロック信号の基となる基クロック信号であってもよい。
【０００９】
前記液体吐出ヘッド制御回路の一態様において、
前記第１基制御信号は、前記駆動信号の波形選択を規定する印刷データ信号の基となる基印刷データ信号であってもよい。
【００１０】
前記液体吐出ヘッド制御回路の一態様において、
前記液体吐出ヘッドは、
前記駆動信号選択回路と電気的に接続されている第６端子と、
前記復元回路と電気的に接続されている第７端子と、
を有し、
前記液体吐出ヘッド制御回路は、
前記第６端子と電気的に接続され、前記駆動信号選択回路に供給される前記第１基準電圧信号を伝搬する第６配線と、
前記第７端子と電気的に接続され、前記駆動素子への前記駆動信号の供給のタイミングを規定する第２制御信号を伝搬する第７配線と、
を備え、
前記第４配線と前記第５配線とが並ぶ方向と交差する方向において、
前記第７配線は、前記第１配線及び前記第６配線と隣り合って位置していてもよい。
【００１１】
本発明に係る液体吐出ヘッドの一態様は、
駆動信号に基づいて駆動することでノズルから液体を吐出させる駆動素子と、
第１制御信号に基づいて前記駆動信号の前記駆動素子への供給を制御する駆動信号選択回路と、
一対の第１差動信号を前記第１制御信号に復元する復元回路と、
前記駆動信号選択回路と電気的に接続されている第１端子と、
前記復元回路と電気的に接続されている第２端子、第３端子、第４端子、及び第５端子と、
を備え、
前記第１端子には、前記駆動信号選択回路に供給される第１基準電圧信号が入力され、
前記第２端子には、前記復元回路に供給される第２基準電圧信号が入力され、
前記第３端子には、前記復元回路に供給される前記第２基準電圧信号が入力され、
前記第４端子には、前記復元回路に供給される前記一対の第１差動信号の内の一方の信号が入力され、
前記第５端子には、前記復元回路に供給される前記一対の第１差動信号の内の他方の信号が入力され、
前記第４端子と前記第５端子とは並んで配置され、
前記第４端子と前記第５端子とが並ぶ方向に沿って、
前記第４端子と前記第２端子とが隣り合って位置し、
前記第５端子と前記第３端子とが隣り合って位置し、
前記第４端子及び前記第５端子は、前記第２端子と前記第３端子との間に位置している。
【００１２】
本発明に係る液体吐出ヘッドの一態様は、
駆動信号に基づいて駆動することでノズルから液体を吐出させる駆動素子と、
第１制御信号に基づいて前記駆動信号の前記駆動素子への供給を制御する駆動信号選択回路と、
一対の第１差動信号を前記第１制御信号に復元する復元回路と、
前記駆動信号選択回路と電気的に接続されている第１端子と、
前記復元回路と電気的に接続されている第２端子、第３端子、第４端子、及び第５端子と、
を備え、
前記第１端子には、前記駆動信号選択回路に供給される第１基準電圧信号が入力され、
前記第２端子には、前記復元回路に供給される第２基準電圧信号が入力され、
前記第３端子には、前記復元回路に供給される前記第２基準電圧信号が入力され、
前記第４端子には、前記復元回路に供給される前記一対の第１差動信号の内の一方の信号が入力され、
前記第５端子には、前記復元回路に供給される前記一対の第１差動信号の内の他方の信号が入力され、
前記第４端子と前記第５端子とは並んで配置され、
前記第４端子と前記第５端子とが並ぶ方向と交差する方向において、
前記第２端子は、前記第４端子と一部が重なって位置し、
前記第３端子は、前記第５端子と一部が重なって位置している。
【００１３】
前記液体吐出ヘッドの一態様において、
前記第１制御信号は、クロック信号であってもよい。
【００１４】
前記液体吐出ヘッドの一態様において、
前記第１制御信号は、前記駆動信号の波形選択を規定する印刷データ信号であってもよい。
【００１５】
前記液体吐出ヘッドの一態様において、
前記駆動信号選択回路と電気的に接続されている第６端子と、
前記復元回路と電気的に接続されている第７端子と、
を備え、
前記第６端子には、前記駆動信号選択回路に供給される前記第１基準電圧信号が入力され、
前記第７端子には、前記駆動素子への前記駆動信号の供給のタイミングを規定する第２制御信号が入力され、
前記第４端子と前記第５端子とが並ぶ方向と交差する方向において、
前記第７端子は、前記第１端子及び前記第６端子と隣り合って位置していてもよい。
【００１６】
本発明に係る液体吐出装置の一態様は、
ノズルから液体を吐出する液体吐出ヘッドと、
前記液体吐出ヘッドの動作を制御する液体吐出ヘッド制御回路と、
を備え、
前記液体吐出ヘッドは、
駆動信号に基づいて駆動することで前記ノズルから液体を吐出させる駆動素子と、
第１制御信号に基づいて前記駆動信号の前記駆動素子への供給を制御する駆動信号選択回路と、
一対の第１差動信号を前記第１制御信号に復元する復元回路と、
前記駆動信号選択回路と電気的に接続される第１端子と、
前記復元回路と電気的に接続される第２端子、第３端子、第４端子、及び第５端子と、
を有し、
前記液体吐出ヘッド制御回路は、
前記第１制御信号の基となる第１基制御信号を前記一対の第１差動信号に変換する変換回路と、
前記第１端子と電気的に接続され、前記駆動信号選択回路に供給される第１基準電圧信号を伝搬する第１配線と、
前記第２端子と電気的に接続され、前記復元回路に供給される第２基準電圧信号を伝搬する第２配線と、
前記第３端子と電気的に接続され、前記復元回路に供給される前記第２基準電圧信号を伝搬する第３配線と、
前記第４端子と電気的に接続され、前記一対の第１差動信号の内の一方の信号を伝搬する第４配線と、
前記第５端子と電気的に接続され、前記一対の第１差動信号の内の他方の信号を伝搬する第５配線と、
前記駆動信号を出力する駆動信号出力回路と、
を備え、
前記第１配線と前記第１端子とは第１接触部で電気的に接触し、
前記第２配線と前記第２端子とは第２接触部で電気的に接触し、
前記第３配線と前記第３端子とは第３接触部で電気的に接触し、
前記第４配線と前記第４端子とは第４接触部で電気的に接触し、
前記第５配線と前記第５端子とは第５接触部で電気的に接触し、
前記第４接触部と前記第５接触部とは並んで位置し、
前記第４接触部と前記第５接触部とが並ぶ方向に沿って、
前記第４接触部と前記第２接触部とが隣り合って位置し、
前記第５接触部と前記第３接触部とが隣り合って位置し、
前記第４接触部及び前記第５接触部は、前記第２接触部と前記第３接触部との間に位置している。
【００１７】
本発明に係る液体吐出装置の一態様は、
ノズルから液体を吐出する液体吐出ヘッドと、
前記液体吐出ヘッドの動作を制御する液体吐出ヘッド制御回路と、
を備え、
前記液体吐出ヘッドは、
駆動信号に基づいて駆動することで前記ノズルから液体を吐出させる駆動素子と、
第１制御信号に基づいて前記駆動信号の前記駆動素子への供給を制御する駆動信号選択回路と、
一対の第１差動信号を前記第１制御信号に復元する復元回路と、
前記駆動信号選択回路と電気的に接続される第１端子と、
前記復元回路と電気的に接続される第２端子、第３端子、第４端子、及び第５端子と、
を有し、
前記液体吐出ヘッド制御回路は、
前記第１制御信号の基となる第１基制御信号を前記一対の第１差動信号に変換する変換回路と、
前記第１端子と電気的に接続され、前記駆動信号選択回路に供給される第１基準電圧信号を伝搬する第１配線と、
前記第２端子と電気的に接続され、前記復元回路に供給される第２基準電圧信号を伝搬する第２配線と、
前記第３端子と電気的に接続され、前記復元回路に供給される前記第２基準電圧信号を伝搬する第３配線と、
前記第４端子と電気的に接続され、前記一対の第１差動信号の内の一方の信号を伝搬する第４配線と、
前記第５端子と電気的に接続され、前記一対の第１差動信号の内の他方の信号を伝搬する第５配線と、
前記駆動信号を出力する駆動信号出力回路と、
を有し、
前記第１配線と前記第１端子とは第１接触部で電気的に接触し、
前記第２配線と前記第２端子とは第２接触部で電気的に接触し、
前記第３配線と前記第３端子とは第３接触部で電気的に接触し、
前記第４配線と前記第４端子とは第４接触部で電気的に接触し、
前記第５配線と前記第５端子とは第５接触部で電気的に接触し、
前記第４接触部と前記第５接触部とは並んで位置し、
前記第４接触部と前記第５接触部とが並ぶ方向と交差する方向において、
前記第２接触部は、前記第４接触部と一部が重なって位置し、
前記第３接触部は、前記第５接触部と一部が重なって位置している。
【００１８】
前記液体吐出装置の一態様において、
前記第１基制御信号は、クロック信号の基となる基クロック信号であってもよい。
【００１９】
前記液体吐出装置の一態様において、
前記第１基制御信号は、前記駆動信号の波形選択を規定する印刷データ信号の基となる基印刷データ信号であってもよい。
【００２０】
前記液体吐出装置の一態様において、
前記液体吐出ヘッドは、
前記駆動信号選択回路と電気的に接続されている第６端子と、
前記復元回路と電気的に接続されている第７端子と、
を有し、
前記液体吐出ヘッド制御回路は、
前記第６端子と電気的に接続され、前記駆動信号選択回路に供給される前記第１基準電圧信号を伝搬する第６配線と、
前記第７端子と電気的に接続され、前記駆動素子への前記駆動信号の供給のタイミングを規定する第２制御信号を伝搬する第７配線と、
を有し、
前記第６配線と前記第６端子とは第６接触部で電気的に接触し、
前記第７配線と前記第７端子とは第７接触部で電気的に接触し、
前記第４配線と前記第５配線とが並ぶ方向と交差する方向において、
前記第７配線は、前記第１配線及び前記第６配線と隣り合って位置していてもよい。
【図面の簡単な説明】
【００２１】
【図１】液体吐出装置の概略構成を示す図である。
【図２】液体吐出装置の電気的な構成を示すブロック図である。
【図３】駆動信号ＣＯＭＡ，ＣＯＭＢの一例を示す図である。
【図４】駆動信号ＶＯＵＴの一例を示す図である。
【図５】駆動信号選択回路の構成を示す図である。
【図６】デコーダーにおけるデコード内容を示す図である。
【図７】吐出部の１個分に対応する選択回路の構成を示す図である。
【図８】駆動信号選択回路の動作を説明するための図である。
【図９】液体吐出装置の内部構成を概略的に示す図である。
【図１０】ケーブルの構成を示す図である。
【図１１】液体吐出ヘッドの構成を示す斜視図である。
【図１２】インク吐出面の構成を示す平面図である。
【図１３】複数の吐出部の内の１つの概略構成を示す図である。
【図１４】ヘッド基板を面３２１から見た場合の平面図である。
【図１５】コネクター３５０の構成を示す図である。
【図１６】ケーブルがコネクターに取り付けられた場合の具体例を説明するための図である。
【図１７】ケーブル１９ａで伝搬され、コネクター３５０ａを介して液体吐出ヘッド２１に入力される信号の詳細を示す図である。
【図１８】ケーブル１９ｂで伝搬され、コネクター３５０ｂを介して液体吐出ヘッド２１に入力される信号の詳細を示す図である。
【図１９】ケーブル１９ｃで伝搬され、コネクター３５０ｃを介して液体吐出ヘッド２１に入力される信号の詳細を示す図である。
【図２０】ケーブル１９ｄで伝搬され、コネクター３５０ｄを介して液体吐出ヘッド２１に入力される信号の詳細を示す図である。
【図２１】ケーブル１９ｅで伝搬され、コネクター３５０ｅを介して液体吐出ヘッド２１に入力される信号の詳細を示す図である。
【図２２】ケーブル１９ｆで伝搬され、コネクター３５０ｆを介して液体吐出ヘッド２１に入力される信号の詳細を示す図である。
【図２３】ケーブル１９ｇで伝搬され、コネクター３５０ｇを介して液体吐出ヘッド２１に入力される信号の詳細を示す図である。
【図２４】ケーブル１９ｈで伝搬され、コネクター３５０ｇを介して液体吐出ヘッド２１に入力される信号の詳細を示す図である。
【図２５】第２実施形態のケーブル１９ｂで伝搬され、コネクター３５０ｂを介して液体吐出ヘッド２１に入力される信号の詳細を示す図である。
【図２６】第３実施形態のケーブル１９ａで伝搬され、コネクター３５０ａを介して液体吐出ヘッド２１に入力される信号の詳細を示す図である。
【図２７】第３実施形態のケーブル１９ｂで伝搬され、コネクター３５０ｂを介して液体吐出ヘッド２１に入力される信号の詳細を示す図である。
【発明を実施するための形態】
【００２２】
以下、本発明の好適な実施形態について図面を用いて説明する。用いる図面は説明の便宜上のものである。なお、以下に説明する実施形態は、特許請求の範囲に記載された本発明の内容を不当に限定するものではない。また以下で説明される構成の全てが本発明の必須構成要件であるとは限らない。
【００２３】
１  第１実施形態
１．１  液体吐出装置の概要
図１は、液体吐出装置１の概略構成を示す図である。液体吐出装置１は、液体の一例としてのインクを吐出する液体吐出ヘッド２１が搭載されたキャリッジ２０が往復動し、搬送される媒体Ｐに対してインクを吐出することで、媒体Ｐに対して画像を形成するシリアル印刷方式のインクジェットプリンターである。以下の説明では、キャリッジ２０が移動する方向をＸ方向、媒体Ｐが搬送される方向をＹ方向、インクが吐出される方向をＺ方向として説明する。なお、Ｘ方向、Ｙ方向及びＺ方向は互いに直交する方向として説明を行うが、液体吐出装置１に含まれる各種構成が直交に配置されていることに限られるものではない。また、媒体Ｐとしては、印刷用紙、樹脂フィルム、布帛等の任意の印刷対象を用いることができる。
【００２４】
液体吐出装置１は、液体容器２、制御機構１０、キャリッジ２０、移動機構３０及び搬送機構４０を備える。
【００２５】
液体容器２には、媒体Ｐに吐出される複数種類のインクが貯留されている。液体容器２に貯留されるインクの色彩としては、ブラック、シアン、マゼンタ、イエロー、レッド、グレー等が挙げられる。このようなインクが貯留される液体容器２としては、インクカートリッジや、可撓性のフィルムで形成された袋状のインクパック、インクの補充が可能なインクタンク等が用いられる。
【００２６】
制御機構１０は、例えばＣＰＵ（Central Processing Unit）やＦＰＧＡ（Field Programmable Gate Array）等の処理回路と半導体メモリ等の記憶回路とを含み、液体吐出装置１の各要素を制御する。具体的には、制御機構１０は、液体吐出装置１の各種構成の動作を制御する制御信号Ｃｔｒｌ−Ｈ，Ｃｔｒｌ−Ｃ，Ｃｔｒｌ−Ｔを生成し、対応する構成に出力する。
【００２７】
キャリッジ２０には、液体吐出ヘッド２１が搭載されている。液体吐出ヘッド２１には、複数の信号を含む制御信号Ｃｔｒｌ−Ｈが入力される。液体吐出ヘッド２１は、制御信号Ｃｔｒｌ−Ｈに基づいて、液体容器２から供給されるインクを吐出する。なお、液体容器２は、キャリッジ２０に搭載されていてもよい。
【００２８】
移動機構３０は、キャリッジモーター３１及び無端ベルト３２を含む。移動機構３０には、制御信号Ｃｔｒｌ−Ｃが入力される。キャリッジモーター３１は、制御信号Ｃｔｒｌ−Ｃに基づいて動作する。無端ベルト３２には、キャリッジ２０が固定されている。無端ベルト３２は、キャリッジモーター３１の動作に従って回転する。これにより、無端ベルト３２に固定されたキャリッジ２０がＸ方向に沿って往復動する。なお、制御信号Ｃｔｒｌ−Ｃは、不図示のキャリッジモータードライバーにおいて、キャリッジモーター３１を動作させるためのより適した形式の信号に変換されてもよい。
【００２９】
搬送機構４０は、搬送モーター４１及び搬送ローラー４２を含む。搬送機構４０には、制御信号Ｃｔｒｌ−Ｔが入力される。搬送モーター４１は、制御信号Ｃｔｒｌ−Ｔに基づいて動作する。搬送ローラー４２は、搬送モーター４１の動作に従って回転する。この搬送ローラー４２の回転に従って媒体ＰがＹ方向に搬送される。なお、制御信号Ｃｔｒｌ−Ｔは、不図示の搬送モータードライバーにおいて、搬送モーター４１を動作させるためのより適した形式の信号に変換されてもよい。
【００３０】
以上のように液体吐出装置１は、搬送機構４０によるＹ方向に沿った媒体Ｐの搬送と、移動機構３０によるキャリッジ２０のＸ方向に沿った往復動とに連動して、キャリッジ２０に搭載された液体吐出ヘッド２１からＺ方向に沿ってインクが吐出される。これにより、液体吐出装置１は、媒体Ｐに所望の画像を形成する。
【００３１】
１．２  液体吐出装置の電気構成
図２は、液体吐出装置１の電気的な構成を示すブロック図である。液体吐出装置１は、制御機構１０と、液体吐出ヘッド２１とを含む。なお、図２において液体吐出ヘッド２１は、ｎ個の駆動信号選択回路２００を有するとして説明する。
【００３２】
制御機構１０は、変換回路７０、駆動信号出力回路５０−１〜５０−ｎ、第１電源電圧出力回路５１、第２電源電圧出力回路５２、及び制御回路１００を含む。制御回路１００は、例えば、マイクロコントローラー等のプロセッサーを含む。そして、制御回路１００は、ホストコンピューターから入力される画像データ等の各種信号に基づいて、液体吐出装置１を制御するためのデータや各種信号を生成し出力する。
【００３３】
具体的には、制御回路１００は、液体吐出装置１を制御するための基クロック信号ｏＳＣＫ、基印刷データ信号ｏＳＩ１〜ｏＳＩｎ、基ラッチ信号ｏＬＡＴ、基チェンジ信号ｏＣＨａ，ｏＣＨｂ、及び基駆動信号ｄＡ１〜ｄＡｎ，ｄＢ１〜ｄＢｎを出力する。
【００３４】
基クロック信号ｏＳＣＫ、基印刷データ信号ｏＳＩ１〜ｏＳＩｎ、基ラッチ信号ｏＬＡＴ、及び基チェンジ信号ｏＣＨａ，ｏＣＨｂは、液体吐出ヘッド２１の動作を制御するためのクロック信号ＳＣＫ、印刷データ信号ＳＩ１〜ＳＩｎ、ラッチ信号ＬＡＴ、及びチェンジ信号ＣＨａ，ＣＨｂの基となる信号である。制御回路１００は、基クロック信号ｏＳＣＫ、及び基印刷データ信号ｏＳＩ１〜ｏＳＩｎのそれぞれを、変換回路７０に出力する。また、制御回路１００は、基ラッチ信号ｏＬＡＴ、及び基チェンジ信号ｏＣＨａ，ｏＣＨｂのそれぞれを、液体吐出ヘッド２１に出力する。
【００３５】
変換回路７０は、制御信号Ｃｔｒｌ−Ｈの内のいくつかの信号の基となる基制御信号を
一対の差動信号に変換する。具体的には、変換回路７０は、制御信号Ｃｔｒｌ−Ｈの内のクロック信号ＳＣＫの基となる基クロック信号ｏＳＣＫを一対の差動クロック信号ｄＳＣＫに変換する。また、変換回路７０は、制御信号Ｃｔｒｌ−Ｈの内の印刷データ信号ＳＩ１〜ＳＩｎのそれぞれの基となる基印刷データ信号ｏＳＩ１〜ｏＳＩｎを、それぞれ一対の差動印刷データ信号ｄＳＩ１〜ｄＳＩｎに変換する。そして、変換回路７０は、差動クロック信号ｄＳＣＫ、及び差動印刷データ信号ｄＳＩ１〜ｄＳＩｎのそれぞれを、液体吐出ヘッド２１に出力する。
【００３６】
ここで、変換回路７０は、例えば、ＬＶＤＳ（Low Voltage Differential Signaling）転送方式の差動信号に変換する。ＬＶＤＳ転送方式の差動信号はその振幅が３５０ｍＶ程度であるため高速データ転送を実現することができる。なお、変換回路７０は、ＬＶＤＳ転送方式以外のＬＶＰＥＣＬ（Low Voltage Positive Emitter Coupled Logic）転送方式や、ＣＭＬ（Current Mode Logic）転送方式等の各種高速転送方式の差動信号に変換してもよい。
【００３７】
基駆動信号ｄＡ１〜ｄＡｎ，ｄＢ１〜ｄＢｎは、デジタルの信号であって、液体吐出ヘッド２１が有する駆動素子としての圧電素子６０を駆動させるための駆動信号ＣＯＭＡ１〜ＣＯＭＡｎ，ＣＯＭＢ１〜ＣＯＭＢｎの基となる信号である。基駆動信号ｄＡ１〜ｄＡｎ，ｄＢ１〜ｄＢｎのそれぞれは、対応する駆動信号出力回路５０−１〜５０−ｎに入力される。なお、以下の説明では、基駆動信号ｄＡｉ，ｄＢｉ（ｉ＝１〜ｎのいずれか）が、対応する駆動信号出力回路５０−ｉに入力されるとして説明する。
【００３８】
駆動信号出力回路５０−ｉは、入力された基駆動信号ｄＡｉを、デジタル／アナログ信号に変換し、変換されたアナログ信号をＤ級増幅することで駆動信号ＣＯＭＡｉを生成する。また、駆動信号出力回路５０−ｉは、入力された基駆動信号ｄＢｉを、デジタル／アナログ信号に変換し、変換されたアナログ信号をＤ級増幅することで駆動信号ＣＯＭＢｉを生成する。すなわち、駆動信号出力回路５０−ｉは、基駆動信号ｄＡｉに基づいて駆動信号ＣＯＭＡｉを生成するＤ級増幅回路と、基駆動信号ｄＢｉに基づいて駆動信号ＣＯＭＢｉを生成するＤ級増幅回路との２つのＤ級増幅回路を含む。なお、基駆動信号ｄＡｉ，ｄＢｉは、駆動信号ＣＯＭＡｉ，ＣＯＭＢｉの波形を規定することができる信号であればよく、アナログ信号であってもよい。また、駆動信号出力回路５０−ｉが有する２つのＤ級増幅回路は、基駆動信号ｄＡｉ，ｄＢｉで規定される波形を増幅することができればよく、Ａ級増幅回路、Ｂ級増幅回路、又はＡＢ級増幅回路等の各種増幅回路で構成されてもよい。
【００３９】
また、駆動信号出力回路５０ｉは、駆動信号ＣＯＭＡｉ，ＣＯＭＢｉの基準電位を示す電圧ＶＢＳｉを生成し出力する。電圧ＶＢＳｉは、例えば、電圧値が０Ｖのグラウンド電位の信号であってもよく、電圧値が５Ｖや６Ｖ等の直流電圧の信号であってもよい。
【００４０】
そして、駆動信号出力回路５０−ｉは、生成した駆動信号ＣＯＭＡｉ，ＣＯＭＢｉ、及び電圧ＶＢＳｉを液体吐出ヘッド２１に出力する。ここで、駆動信号出力回路５０−１〜５０−ｎはいずれも同様の構成であり、以下の説明において駆動信号出力回路５０と称する場合がある。また、駆動信号出力回路５０には、基駆動信号ｄＡ，ｄＢが入力され、駆動信号ＣＯＭＡ，ＣＯＭＢ、及び電圧ＶＢＳを生成するとして説明を行う場合がある。ここで、駆動信号ＣＯＭＡ，ＣＯＭＢの少なくとも一方が駆動信号の一例である。
【００４１】
ここで、図２では図示を省略するが、制御回路１００は、図１に示す移動機構３０に対して、液体吐出ヘッド２１が搭載されるキャリッジ２０のＸ方向に沿った往復動を制御する為の制御信号Ｃｔｒｌ−Ｃを出力する。また、制御回路１００は、図１に示す搬送機構４０に対して、媒体ＰのＹ方向に沿った搬送を制御する為の制御信号Ｃｔｒｌ−Ｔを出力
する。
【００４２】
第１電源電圧出力回路５１は、電圧値が３．３Ｖの直流電圧の電圧ＶＤＤを生成する。電圧ＶＤＤは、制御機構１０、及び液体吐出ヘッド２１の各種構成の電源電圧である。なお、第１電源電圧出力回路５１は、制御機構１０、及び液体吐出ヘッド２１の各種構成に適した複数の電圧値の電圧ＶＤＤを生成してもよい。そして、第１電源電圧出力回路５１は、生成した電圧ＶＤＤを液体吐出ヘッド２１を含む各種構成に出力する。
【００４３】
第２電源電圧出力回路５２は、電圧値が電圧ＶＤＤよりも大きく、例えば、電圧値が４２Ｖの直流電圧の電圧ＶＨＶを生成する。電圧ＶＨＶは、駆動信号出力回路５０−１〜５０−ｎに供給される。そして、駆動信号出力回路５０−１〜５０−ｎは、電圧ＶＨＶに基づいて、Ｄ級増幅回路された駆動信号ＣＯＭＡ１〜ＣＯＭＡｎ，ＣＯＭＢ１〜ＣＯＭＢｎを生成する。また、第２電源電圧出力回路５２は、液体吐出ヘッド２１が有する駆動信号選択回路２００−１〜２００−ｎにも電圧ＶＨＶを出力する。
【００４４】
以上のように制御機構１０は、液体吐出ヘッド２１の動作を制御するための制御信号Ｃｔｒｌ−Ｈとして、上述した各種信号、及び電圧を液体吐出ヘッド２１に出力する。また、制御機構１０は、液体吐出ヘッド２１のグラウンド電位を規定するグラウンド信号ＧＮＤ１，ＧＮＤ２を液体吐出ヘッド２１に出力する。
【００４５】
液体吐出ヘッド２１は、復元回路１３０、駆動信号選択回路２００−１〜２００−ｎ、及び複数の吐出部６００を含む。
【００４６】
復元回路１３０には、差動クロック信号ｄＳＣＫ、差動印刷データ信号ｄＳＩ１〜ｄＳＩｎ、基ラッチ信号ｏＬＡＴ、及び基チェンジ信号ｏＣＨａ，ｏＣＨｂが入力される。復元回路１３０は、入力される各種信号に基づいて、差動信号をシングルエンド信号に復元する。具体的には、復元回路１３０は、入力される基ラッチ信号ｏＬＡＴ、及び基チェンジ信号ｏＣＨＡ，ｏＣＨｂで規定されるタイミングに基づいて、差動クロック信号ｄＳＣＫ、及び差動印刷データ信号ｄＳＩ１〜ｄＳＩｎをシングルエンド信号に復元する。換言すれば、復元回路１３０は、一対の差動クロック信号ｄＳＣＫをクロック信号ＳＣＫに復元する。また、復元回路１３０は、一対の差動印刷データ信号ｄＳＩ１〜ｄＳＩｎのそれぞれを、印刷データ信号ＳＩ１〜ＳＩｎに復元する。そして、復元回路１３０は、復元されたシングルエンド信号のクロック信号ＳＣＫ、及び印刷データ信号ＳＩ１〜ＳＩｎを出力する。
【００４７】
ここで、クロック信号ＳＣＫが第１制御信号の一例であり、クロック信号ＳＣＫの基となる基クロック信号ｏＳＣＫが第１基制御信号の一例であり、基クロック信号ｏＳＣＫが一対の差動信号に変換された一対の差動クロック信号ｄＳＣＫが、一対の第１差動信号の一例である。
【００４８】
また、復元回路１３０に入力される基ラッチ信号ｏＬＡＴ、及び基チェンジ信号ｏＣＨａ，ｏＣＨｂは、一対の差動信号をシングルエンド信号に復元するためのタイミングを規定した後、ラッチ信号ＬＡＴ、チェンジ信号ＣＨａ、ＣＨｂとして復元回路１３０から出力される。ここで、復元回路１３０に入力される基ラッチ信号ｏＬＡＴ、及び基チェンジ信号ｏＣＨａ，ｏＣＨｂと、復元回路１３０から出力されるラッチ信号ＬＡＴ、チェンジ信号ＣＨａ、ＣＨｂとは、当該復元回路１３０で生じる遅延を加味しない場合に、同じ波形の信号であってもよい。
【００４９】
以上のように、復元対象の信号である差動信号に加えて、液体吐出装置１を制御するためのシングルエンド信号を、復元回路１３０に入力することで、復元回路１３０において
復元されたシングルエンド信号と、復元回路１３０において復元されていないシングルエンド信号との間に信号遅延が生じるおそれを低減することが可能となる。
【００５０】
駆動信号選択回路２００−１〜２００−ｎのそれぞれには、電圧ＶＨＶ，ＶＤＤ、クロック信号ＳＣＫ、ラッチ信号ＬＡＴ、チェンジ信号ＣＨａ，ＣＨｂ、及びグラウンド信号ＧＮＤ１が共通に入力される。また、駆動信号選択回路２００−１〜２００−ｎのそれぞれには、対応する駆動信号ＣＯＭＡ１〜ＣＯＭＡｎ，ＣＯＭＢ１〜ＣＯＭＢｎ、及び印刷データ信号ＳＩ１〜ＳＩｎがそれぞれ入力される。そして、駆動信号選択回路２００−１〜２００−ｎのそれぞれは、対応する駆動信号ＣＯＭＡ１〜ＣＯＭＡｎ，ＣＯＭＢ１〜ＣＯＭＢｎのそれぞれを選択又は非選択とすることで、駆動信号ＶＯＵＴ１〜ＶＯＵＴｎを生成し、対応する複数の吐出部６００のそれぞれに含まれる圧電素子６０の一端に供給する。換言すれば、駆動信号選択回路２００−１〜２００−ｎのそれぞれは、クロック信号ＳＣＫ、印刷データ信号ＳＩ１〜ＳＩｎ、ラッチ信号ＬＡＴ、及びチェンジ信号ＣＨａ，ＣＨｂに基づいて、駆動信号ＣＯＭＡ１〜ＣＯＭＡｎ，ＣＯＭＢ１〜ＣＯＭＢｎのそれぞれの圧電素子６０への供給を制御する。この場合において、当該圧電素子６０の他端には、電圧ＶＢＳ１〜ＶＢＳｎが供給される。そして、圧電素子６０は、駆動信号ＶＯＵＴ１〜ＶＯＵＴｎと、電圧ＶＢＳ１〜ＶＢＳｎとに基づいて変位し、当該変位に応じた量のインクが吐出部６００から吐出される。すなわち、圧電素子６０は、駆動信号ＣＯＭＡ，ＣＯＭＢに基づいて駆動することでノズルから液体を吐出させる。
【００５１】
ここで、駆動信号選択回路２００−１〜２００−ｎはいずれも同様の構成であり、以下の説明において駆動信号選択回路２００と称する場合がある。また、駆動信号選択回路２００は、駆動信号ＣＯＭＡ，ＣＯＭＢを選択又は非選択とすることで、駆動信号ＶＯＵＴを生成するとして説明を行う場合がある。
【００５２】
なお、液体吐出ヘッド２１が有する復元回路１３０、及び駆動信号選択回路２００は、それぞれが１又は複数の集積回路（ＩＣ：Integrated Circuit）装置として構成されていてもよい。また、復元回路１３０と駆動信号選択回路２００とが、１つの集積回路で構成されていてもよい。
【００５３】
１．３  駆動信号の波形の一例
ここで、駆動信号出力回路５０で生成される駆動信号ＣＯＭＡ，ＣＯＭＢの波形の一例と、圧電素子６０に供給される駆動信号ＶＯＵＴの波形の一例について図３及び図４を用いて説明する。
【００５４】
図３は、駆動信号ＣＯＭＡ，ＣＯＭＢの一例を示す図である。図３に示すように、駆動信号ＣＯＭＡは、ラッチ信号ＬＡＴが立ち上がってからチェンジ信号ＣＨａが立ち上がるまでの期間Ｔ１に配置された台形波形Ａｄｐ１と、チェンジ信号ＣＨａが立ち上がってから次にラッチ信号ＬＡＴが立ち上がるまでの期間Ｔ２に配置された台形波形Ａｄｐ２とを連続させた波形である。本実施形態において、台形波形Ａｄｐ１と台形波形Ａｄｐ２とは、互いにほぼ同一の波形である。この台形波形Ａｄｐ１、Ａｄｐ２のそれぞれが、圧電素子６０の一端に供給された場合、当該圧電素子６０に対応する吐出部６００から、中程度の量のインクが吐出される。
【００５５】
また、駆動信号ＣＯＭＢは、ラッチ信号ＬＡＴが立ち上がってからチェンジ信号ＣＨｂが立ち上がるまでの期間Ｔ３に配置された台形波形Ｂｄｐ１と、チェンジ信号ＣＨｂが立ち上がってから次にラッチ信号ＬＡＴが立ち上がるまでの期間Ｔ４に配置された台形波形Ｂｄｐ２とを連続させた波形である。本実施形態において、台形波形Ｂｄｐ１と台形波形Ｂｄｐ２とは、互いに異なる波形である。このうち、台形波形Ｂｄｐ１は、吐出部６００のノズル開孔部付近のインクを微振動させて、インク粘度の増大を防止するための波形で
ある。この台形波形Ｂｄｐ１が圧電素子６０の一端に供給された場合、当該圧電素子６０に対応する吐出部６００からインクは吐出されない。また、台形波形Ｂｄｐ２は、台形波形Ａｄｐ１，Ａｄｐ２及び台形波形Ｂｄｐ１と異なる波形である。この台形波形Ｂｄｐ２が圧電素子６０の一端に供給された場合、当該圧電素子６０に対応する吐出部６００から、中程度量よりも少ない量のインクが吐出される。
【００５６】
以上のように、駆動信号ＣＯＭＡ，ＣＯＭＢの圧電素子６０への供給のタイミングである期間Ｔ１〜Ｔ４、及び周期Ｔａはラッチ信号ＬＡＴ、チェンジ信号ＣＨａ，ＣＨｂに基づいて規定される。ここで、台形波形Ａｄｐ１、Ａｄｐ２、Ｂｄｐ１、Ｂｄｐ２のそれぞれの、開始タイミング及び終了タイミングでの電圧は、いずれも電圧Ｖｃで共通である。すなわち、台形波形Ａｄｐ１、Ａｄｐ２、Ｂｄｐ１、Ｂｄｐ２は、それぞれ電圧Ｖｃで開始し、電圧Ｖｃで終了する波形となっている。なお、駆動信号ＣＯＭＡ，ＣＯＭＢのそれぞれは、周期Ｔａにおいて、２つの台形波形が連続した波形の信号であるとして説明を行ったが、３つ以上の台形波形が連続した波形の信号であってもよい。
【００５７】
図４は、「大ドット」、「中ドット」、「小ドット」及び「非記録」のそれぞれに対応する駆動信号ＶＯＵＴの一例を示す図である。図４に示すように、「大ドット」に対応する駆動信号ＶＯＵＴは、周期Ｔａにおいて、台形波形Ａｄｐ１と台形波形Ａｄｐ２とを連続させた波形となっている。この駆動信号ＶＯＵＴが圧電素子６０の一端に供給された場合、周期Ｔａにおいて、当該圧電素子６０に対応した吐出部６００から、中程度の量のインクが２回にわけて吐出される。よって、媒体Ｐにはそれぞれのインクが着弾し合体して大ドットが形成される。
【００５８】
「中ドット」に対応する駆動信号ＶＯＵＴは、周期Ｔａにおいて、台形波形Ａｄｐ１と台形波形Ｂｄｐ２とを連続させた波形となっている。この駆動信号ＶＯＵＴが圧電素子６０の一端に供給された場合、周期Ｔａにおいて、当該圧電素子６０に対応した吐出部６００から、中程度の量のインクと小程度の量のインクとが吐出される。よって、媒体Ｐにはそれぞれのインクが着弾し合体して中ドットが形成される。
【００５９】
「小ドット」に対応する駆動信号ＶＯＵＴは、周期Ｔａにおいて、台形波形Ｂｄｐ２となっている。この駆動信号ＶＯＵＴが圧電素子６０の一端に供給された場合、周期Ｔａにおいて、当該圧電素子６０に対応した吐出部６００から、小程度の量のインクが吐出される。よって、媒体Ｐにはこのインクが着弾して小ドットが形成される。
【００６０】
「非記録」に対応する駆動信号ＶＯＵＴは、周期Ｔａにおいて、台形波形Ｂｄｐ１となっている。この駆動信号ＶＯＵＴが圧電素子６０の一端に供給された場合、周期Ｔａにおいて、当該圧電素子６０に対応した吐出部６００のノズル開孔部付近のインクが微振動するのみで、インクは吐出されない。このため、媒体Ｐにはインクが着弾せず、ドットが形成されない。
【００６１】
ここで、駆動信号ＶＯＵＴとして駆動信号ＣＯＭＡ，ＣＯＭＢのいずれも選択されていない場合、圧電素子６０の一端には、当該圧電素子６０の容量成分により直前の電圧Ｖｃが保持される。すなわち、駆動信号ＣＯＭＡ，ＣＯＭＢのいずれも選択されていない場合、電圧Ｖｃが駆動信号ＶＯＵＴとして圧電素子６０に供給される。
【００６２】
なお、図３及び図４に示した駆動信号ＣＯＭＡ，ＣＯＭＢ及び駆動信号ＶＯＵＴはあくまでも一例であり、液体吐出ヘッド２１が搭載されるキャリッジ２０の移動速度、吐出されるインクの物性、及び媒体Ｐの材質等に応じて、様々な波形の組み合わせが用いられてもよい。また、駆動信号ＣＯＭＡ及び駆動信号ＣＯＭＢとは、同じ台形波形が連続した信号であってもよい。ここで、駆動信号ＣＯＭＡ，ＣＯＭＢが駆動信号の一例である。また
、駆動信号ＣＯＭＡ，ＣＯＭＢの波形を選択又は非選択することで生成される駆動信号ＶＯＵＴも、広義の上での駆動信号の一例である。
【００６３】
１．４  駆動信号選択回路
次に、駆動信号選択回路２００の構成及び動作について図５〜図８を用いて説明する。図５は、駆動信号選択回路２００の構成を示す図である。図５に示すように、駆動信号選択回路２００は、選択制御回路２２０、及び複数の選択回路２３０を含む。
【００６４】
選択制御回路２２０には、印刷データ信号ＳＩ、ラッチ信号ＬＡＴ、チェンジ信号ＣＨａ，ＣＨｂ、及びクロック信号ＳＣＫが入力される。また、選択制御回路２２０には、シフトレジスター（Ｓ／Ｒ）２２２とラッチ回路２２４とデコーダー２２６との組が、複数の吐出部６００の各々に対応して設けられている。すなわち、駆動信号選択回路２００は、対応する吐出部６００の総数ｍと同数のシフトレジスター２２２とラッチ回路２２４とデコーダー２２６との組を含む。
【００６５】
印刷データ信号ＳＩは、駆動信号ＣＯＭＡ、及び駆動信号ＣＯＭＢの波形選択を規定する信号である。具体的には、印刷データ信号ＳＩは、クロック信号ＳＣＫに同期した信号であって、ｍ個の吐出部６００の各々に対して、「大ドット」、「中ドット」、「小ドット」及び「非記録」のいずれかを選択するための２ビットの印刷データ［ＳＩＨ，ＳＩＬ］を含む、合計２ｍビットの信号である。そして、印刷データ信号ＳＩは、吐出部６００に対応して、印刷データ信号ＳＩに含まれる２ビット分の印刷データ［ＳＩＨ，ＳＩＬ］毎に、シフトレジスター２２２に保持される。詳細には、吐出部６００に対応したｍ段のシフトレジスター２２２が互いに縦続接続されるとともに、シリアルで供給された印刷データ信号ＳＩが、クロック信号ＳＣＫに従って順次後段に転送される。なお、図５では、シフトレジスター２２２を区別するために、印刷データ信号ＳＩが供給される上流側から順番に１段、２段、…、ｍ段と表記している。
【００６６】
ｍ個のラッチ回路２２４の各々は、ｍ個のシフトレジスター２２２の各々で保持された２ビットの印刷データ［ＳＩＨ，ＳＩＬ］をラッチ信号ＬＡＴの立ち上がりでラッチする。
【００６７】
ｍ個のデコーダー２２６の各々は、ｍ個のラッチ回路２２４の各々によってラッチされた２ビットの印刷データ［ＳＩＨ，ＳＩＬ］をデコードする。そして、デコーダー２２６は、ラッチ信号ＬＡＴとチェンジ信号ＣＨａとで規定される期間Ｔ１，Ｔ２毎に選択信号Ｓ１を出力し、ラッチ信号ＬＡＴとチェンジ信号ＣＨｂとで規定される期間Ｔ３，Ｔ４毎に選択信号Ｓ２を出力する。
【００６８】
図６は、デコーダー２２６におけるデコード内容を示す図である。デコーダー２２６は、ラッチ回路２２４にラッチされた２ビットの印刷データ［ＳＩＨ，ＳＩＬ］に従い選択信号Ｓ１，Ｓ２を出力する。例えば、デコーダー２２６は、ラッチ回路２２４にラッチされた２ビットの印刷データ［ＳＩＨ，ＳＩＬ］が［１，０］の場合、選択信号Ｓ１の論理レベルを、期間Ｔ１，Ｔ２のそれぞれにおいてＨ，Ｌレベルとし、選択信号Ｓ２の論理レベルを、期間Ｔ３，Ｔ４のそれぞれにおいてＬ，Ｈレベルとする。なお、選択信号Ｓ１，Ｓ２の論理レベルは、不図示のレベルシフターによって、電圧ＶＨＶに基づく高振幅論理にレベルシフトされる。
【００６９】
選択回路２３０は、吐出部６００のそれぞれに対応して設けられている。すなわち、駆動信号選択回路２００が有する選択回路２３０の数は、対応する吐出部６００の総数ｍと同じである。
【００７０】
図７は、吐出部６００の１個分に対応する選択回路２３０の構成を示す図である。図７に示すように、選択回路２３０は、ＮＯＴ回路であるインバーター２３２ａ，２３２ｂ、とトランスファーゲート２３４ａ，２３４ｂとを有する。
【００７１】
選択信号Ｓ１は、トランスファーゲート２３４ａにおいて丸印が付されていない正制御端に供給される一方で、インバーター２３２ａによって論理反転されて、トランスファーゲート２３４ａにおいて丸印が付された負制御端に供給される。また、選択信号Ｓ２は、トランスファーゲート２３４ｂの正制御端に供給される一方で、インバーター２３２ｂによって論理反転されて、トランスファーゲート２３４ｂの負制御端に供給される。
【００７２】
トランスファーゲート２３４ａの入力端には、駆動信号ＣＯＭＡが供給され、トランスファーゲート２３４ｂの入力端には、駆動信号ＣＯＭＢが供給される。トランスファーゲート２３４ａ，２３４ｂの出力端同士は共通接続され、当該共通接続端子を介して駆動信号ＶＯＵＴが吐出部６００に出力される。
【００７３】
トランスファーゲート２３４ａは、選択信号Ｓ１がＨレベルの場合、入力端と出力端との間を導通とし、選択信号Ｓ１がＬレベルの場合、入力端と出力端との間を非導通とする。トランスファーゲート２３４ｂは、選択信号Ｓ２がＨレベルの場合、入力端と出力端との間を導通とし、選択信号Ｓ２がＬレベルの場合、入力端と出力端との間を非導通とする。
【００７４】
次に、駆動信号選択回路２００の動作について図８を用いて説明する。図８は、駆動信号選択回路２００の動作を説明するための図である。印刷データ信号ＳＩは、クロック信号ＳＣＫに同期してシリアルで供給されて、吐出部６００に対応するシフトレジスター２２２において順次転送される。そして、クロック信号ＳＣＫの供給が停止すると、各シフトレジスター２２２には、吐出部６００の各々に対応した２ビットの印刷データ［ＳＩＨ，ＳＩＬ］が保持される。なお、印刷データ信号ＳＩは、シフトレジスター２２２における最終ｍ段、…、２段、１段の吐出部６００に対応した順に供給される。
【００７５】
そして、ラッチ信号ＬＡＴが立ち上がると、ラッチ回路２２４のそれぞれは、シフトレジスター２２２に保持されている２ビットの印刷データ［ＳＩＨ，ＳＩＬ］を一斉にラッチする。図８において、ＬＴ１、ＬＴ２、…、ＬＴｍは、１段、２段、…、ｍ段のシフトレジスター２２２に対応するラッチ回路２２４によってラッチされた２ビットの印刷データ［ＳＩＨ，ＳＩＬ］を示している。
【００７６】
デコーダー２２６は、ラッチされた２ビットの印刷データ［ＳＩＨ，ＳＩＬ］で規定されるドットのサイズに応じて、期間Ｔ１，Ｔ２，Ｔ３，Ｔ４のそれぞれにおいて、選択信号Ｓ１，Ｓ２の論理レベルを図６に示すような内容で出力する。
【００７７】
具体的には、デコーダー２２６は、当該印刷データ［ＳＩＨ，ＳＩＬ］が［１，１］の場合、選択信号Ｓ１を期間Ｔ１，Ｔ２においてＨ，Ｈレベルとし、選択信号Ｓ２を期間Ｔ３，Ｔ４においてＬ，Ｌレベルとする。この場合、選択回路２３０は、期間Ｔ１において駆動信号ＣＯＭＡに含まれる台形波形Ａｄｐ１を選択し、期間Ｔ２において駆動信号ＣＯＭＡに含まれる台形波形Ａｄｐ２を選択し、期間Ｔ３において駆動信号ＣＯＭＢに含まれる台形波形Ｂｄｐ１を選択せず、期間Ｔ４において駆動信号ＣＯＭＢに含まれる台形波形Ｂｄｐ２を選択しない。その結果、図４に示した「大ドット」に対応する駆動信号ＶＯＵＴが生成される。
【００７８】
また、デコーダー２２６は、当該印刷データ［ＳＩＨ，ＳＩＬ］が［１，０］の場合、選択信号Ｓ１を期間Ｔ１，Ｔ２においてＨ，Ｌレベルとし、選択信号Ｓ２を期間Ｔ３，Ｔ
４においてＬ，Ｈレベルとする。この場合、選択回路２３０は、期間Ｔ１において駆動信号ＣＯＭＡに含まれる台形波形Ａｄｐ１を選択し、期間Ｔ２において駆動信号ＣＯＭＡに含まれる台形波形Ａｄｐ２を選択せず、期間Ｔ３において駆動信号ＣＯＭＢに含まれる台形波形Ｂｄｐ１を選択せず、期間Ｔ４において駆動信号ＣＯＭＢに含まれる台形波形Ｂｄｐ２を選択する。その結果、図４に示した「中ドット」に対応する駆動信号ＶＯＵＴが生成される。
【００７９】
また、デコーダー２２６は、当該印刷データ［ＳＩＨ，ＳＩＬ］が［０，１］の場合、選択信号Ｓ１を期間Ｔ１，Ｔ２においてＬ，Ｌレベルとし、選択信号Ｓ２を期間Ｔ３，Ｔ４においてＬ，Ｈレベルとする。この場合、選択回路２３０は、期間Ｔ１において駆動信号ＣＯＭＡに含まれる台形波形Ａｄｐ１を選択せず、期間Ｔ２において駆動信号ＣＯＭＡに含まれる台形波形Ａｄｐ２を選択せず、期間Ｔ３において駆動信号ＣＯＭＢに含まれる台形波形Ｂｄｐ１を選択せず、期間Ｔ４において駆動信号ＣＯＭＢに含まれる台形波形Ｂｄｐ２を選択する。その結果、図４に示した「小ドット」に対応する駆動信号ＶＯＵＴが生成される。
【００８０】
また、デコーダー２２６は、当該印刷データ［ＳＩＨ，ＳＩＬ］が［０，０］の場合、選択信号Ｓ１を期間Ｔ１，Ｔ２においてＬ，Ｌレベルとし、選択信号Ｓ２を期間Ｔ３，Ｔ４においてＨ，Ｌレベルとする。この場合、選択回路２３０は、期間Ｔ１において駆動信号ＣＯＭＡに含まれる台形波形Ａｄｐ１を選択せず、期間Ｔ２において駆動信号ＣＯＭＡに含まれる台形波形Ａｄｐ２を選択せず、期間Ｔ３において駆動信号ＣＯＭＢに含まれる台形波形Ｂｄｐ１を選択し、期間Ｔ４において駆動信号ＣＯＭＢに含まれる台形波形Ｂｄｐ２を選択しない。その結果、図４に示した「非記録」に対応する駆動信号ＶＯＵＴが生成される。
【００８１】
以上のように駆動信号選択回路２００−１〜２００−ｎのそれぞれは、対応する印刷データ信号ＳＩ１〜ＳＩｎと、ラッチ信号ＬＡＴと、チェンジ信号ＣＨａ，ＣＨｂと、に基づいて、対応する駆動信号ＣＯＭＡ１〜ＣＯＭＡｎ，ＣＯＭＢ１〜ＣＯＭＢｎの圧電素子への供給を制御する。
【００８２】
１．５  液体吐出ヘッドと液体吐出ヘッド制御回路との接続
次に制御機構１０と液体吐出ヘッド２１との電気的接続の詳細について説明する。なお、以下の説明において、液体吐出ヘッド２１は、１２個の駆動信号選択回路２００−１〜２００−１２を備えるとして説明を行う。すなわち、液体吐出ヘッド２１には、１２個の駆動信号選択回路２００−１〜２００−１２のそれぞれに対応する１２個の印刷データ信号ＳＩ１〜ＳＩ１２、１２個の駆動信号ＣＯＭＡ１〜ＣＯＭＡ１２，ＣＯＭＢ１〜ＣＯＭＢ１２、及び１２個の電圧ＶＢＳ１〜ＶＢＳ１２が入力される。また、制御機構１０は、１２個の駆動信号選択回路２００−１〜２００−１２のそれぞれに対応する１２個の駆動信号出力回路５０−１〜５０−１２を備える。
【００８３】
図９は、Ｙ方向から見た場合における液体吐出装置１の内部構成を概略的に示す図である。図９に示すように液体吐出装置１は、メイン基板１１、及び液体吐出ヘッド２１と、メイン基板１１と液体吐出ヘッド２１とを電気的に接続する複数のケーブル１９を有する。
【００８４】
メイン基板１１には、図１及び図２に示す制御機構１０が有する変換回路７０、駆動信号出力回路５０−１〜５０−１２、第１電源電圧出力回路５１、第２電源電圧出力回路５２、及び制御回路１００を含む各種回路が実装されている。また、メイン基板１１には、複数のケーブル１９の一端が取り付けられる複数のコネクター１２が実装されている。なお、図９では、メイン基板１１として１個の回路基板を図示しているが、メイン基板１１
は２個以上の回路基板を含んで構成されていても良い。
【００８５】
液体吐出ヘッド２１は、ヘッド３１０、ヘッド基板３２０、複数のコネクター３５０を有する。複数のコネクター３５０のそれぞれには、複数のケーブル１９のそれぞれの他端が取り付けられる。これにより、メイン基板１１に設けられた制御機構１０で生成された各種信号は、複数のケーブル１９を介して液体吐出ヘッド２１に入力される。なお、液体吐出ヘッド２１の構成の詳細、及び複数のケーブル１９で伝搬される信号の詳細については後述する。
【００８６】
以上のように構成された液体吐出装置１は、メイン基板１１に実装された制御機構１０から出力される駆動信号ＣＯＭＡ１〜ＣＯＭＡ１２，ＣＯＭＢ１〜ＣＯＭＢ１２、電圧ＶＢＳ１〜ＶＢＳ１２、差動クロック信号ｄＳＣＫ、差動印刷データ信号ｄＳＩ１〜ｄＳＩ１２、基ラッチ信号ｏＬＡＴ、及び基チェンジ信号ｏＣＨａ，ｏＣＨｂを含む各種信号に基づいて液体吐出ヘッド２１の動作を制御する。すなわち、図９に示す液体吐出装置１において、液体吐出ヘッド２１の動作を制御するための各種信号を出力する制御機構１０と、液体吐出ヘッド２１の動作を制御するための各種信号を伝搬する複数のケーブル１９とを含む構成が、ノズル６５１からインクを吐出する液体吐出ヘッド２１の動作を制御する液体吐出ヘッド制御回路１５の一例である。
【００８７】
図１０は、ケーブル１９の構成を示す図である。ケーブル１９は、互いに対向する短辺１９１，１９２と、互いに対向する長辺１９３，１９４とを有する略矩形であり、例えばフレキシブルフラットケーブル（ＦＦＣ：Flexible Flat Cable）である。ケーブル１９は、短辺１９１に沿って並設された複数の端子１９５と、短辺１９２に沿って並設された複数の端子１９６と、複数の端子１９５と複数の端子１９６とを電気的に接続する複数の配線１９７とを有する。
【００８８】
具体的には、ケーブル１９の短辺１９１側には、ｐ個の端子１９５が、長辺１９３側から長辺１９４側に向かって端子１９５−１〜１９５−ｐの順に並設されている。また、ケーブル１９の短辺１９２側には、ｐ個の端子１９６が、長辺１９３側から長辺１９４側に向かって端子１９６−１〜１９６−ｐの順に並設されている。また、ケーブル１９には、端子１９５のそれぞれと端子１９６のそれぞれとを電気的に接続するｐ個の配線１９７が、長辺１９３側から長辺１９４側に向かって配線１９７−１〜１９７−ｐの順に並設されている。配線１９７−１は、端子１９５−１と端子１９６−１とを電気的に接続する。同様に、配線１９７−ｊ（ｊは１〜ｐのいずれか）は、端子１９５−ｊと端子１９６−ｊとを電気的に接続する。以上のように構成されたケーブル１９は、端子１９５−ｊから入力された信号を、配線１９７−ｊで伝搬し、端子１９６−ｊから出力する。ここで、ケーブル１９が有する複数の配線１９７は、絶縁体１９８により被覆されている。これにより、複数の配線１９７が互いに絶縁される。なお、図１０に示すケーブル１９の構成は一例であり、これに限られるものではなく、例えば、複数の端子１９５と複数の端子１９６とが、ケーブル１９の異なる面に設けられてもよい。
【００８９】
次に、複数のケーブル１９のそれぞれで伝搬された信号が入力される液体吐出ヘッド２１の構成について説明する。図１１は液体吐出ヘッド２１の構成を示す斜視図である。図１１に示すように、液体吐出ヘッド２１は、ヘッド３１０及びヘッド基板３２０を有する。
【００９０】
ヘッド基板３２０は、面３２１と、面３２１と異なる面３２２とを有する。ヘッド基板３２０の面３２２には複数のコネクター３５０が設けられている。また、ヘッド基板３２０の面３２１側には、ヘッド３１０が設けられている。また、ヘッド３１０のＺ方向おける下側の面には、複数の吐出部６００が形成されたインク吐出面３１１が位置する。
【００９１】
図１２は、インク吐出面３１１の構成を示す平面図である。図１２に示すように、インク吐出面３１１には、複数の吐出部６００に含まれるノズル６５１を有するノズルプレート６３２が、１２個設けられている。また、ノズルプレート６３２のそれぞれには、Ｙ方向に沿ってノズル６５１が並設されたノズル列Ｌ１ａ〜Ｌ１ｆ，Ｌ２ａ〜Ｌ２ｆが形成されている。
【００９２】
ノズル列Ｌ１ａ〜Ｌ１ｆは、Ｘ方向に沿って図１２の右から左に向かい、ノズル列Ｌ１ａ，Ｌ１ｂ，Ｌ１ｃ，Ｌ１ｄ，Ｌ１ｅ，Ｌ１ｆの順に並んで設けられている。また、ノズル列Ｌ２ａ〜Ｌ２ｆは、Ｘ方向に沿って図１２の左から右に向かい、ノズル列Ｌ２ａ，Ｌ２ｂ，Ｌ２ｃ，Ｌ２ｄ，Ｌ２ｅ，Ｌ２ｆの順に並んで設けられている。さらに、Ｘ方向に沿って並んで設けられるノズル列Ｌ１ａ〜Ｌ１ｆとノズル列Ｌ２ａ〜Ｌ２ｆとは、Ｙ方向において、２列で並んで設けられている。すなわち、インク吐出面３１１には、Ｙ方向に沿って複数のノズル６５１が形成されるノズル列Ｌ１ａ〜Ｌ１ｆとノズル列Ｌ２ａ〜Ｌ２ｆとが、Ｘ方向に沿って２列で形成されている。なお、図１２において、ノズル列Ｌ１ａ〜Ｌ１ｆ，Ｌ２ａ〜Ｌ２ｆのそれぞれには、ノズル６５１がＹ方向に１列で並んで設けられているが、ノズル６５１がＹ方向に２列以上で並んで設けられてもよい。
【００９３】
ノズル列Ｌ１ａ〜Ｌ１ｆ，Ｌ２ａ〜Ｌ２ｆのそれぞれは、駆動信号選択回路２００のそれぞれと対応する。具体的には、駆動信号選択回路２００−１とノズル列Ｌ１ａが対応する。そして、駆動信号選択回路２００−１が出力する駆動信号ＶＯＵＴ１は、ノズル列Ｌ１ａに設けられる複数の吐出部６００が有する圧電素子６０の一端に供給され、当該圧電素子６０の他端には電圧ＶＢＳ１が供給される。同様に、ノズル列Ｌ１ｂ〜Ｌ１ｆは、それぞれが駆動信号選択回路２００−２〜２００−６と対応し、駆動信号ＶＯＵＴ２〜ＶＯＵＴ６のそれぞれと、電圧ＶＢＳ２〜電圧ＶＢＳ６のそれぞれとが供給される。また、ノズル列Ｌ２ａ〜Ｌ２ｆは、それぞれが駆動信号選択回路２００−７〜２００−１２と対応し、駆動信号ＶＯＵＴ７〜ＶＯＵＴ１２のそれぞれと、電圧ＶＢＳ７〜ＶＢＳ１２のそれぞれとが供給される。
【００９４】
次に、ヘッド３１０に含まれる吐出部６００の構成について、図１３を用いて説明する。図１３は、ヘッド３１０に含まれる複数の吐出部６００の内の１つの概略構成を示す図である。図１３に示すように、ヘッド３１０は、吐出部６００及びリザーバー６４１を含む。
【００９５】
リザーバー６４１は、ノズル列Ｌ１ａ〜Ｌ１ｆ，Ｌ２ａ〜Ｌ２ｆのそれぞれに対応して設けられる。そして、リザーバー６４１には、インク供給口６６１からインクが導入される。
【００９６】
吐出部６００は、圧電素子６０、振動板６２１、キャビティー６３１及びノズル６５１を含む。振動板６２１は、図１３において上面に設けられた圧電素子６０の駆動に伴い変形する。そして、振動板６２１は、キャビティー６３１の内部容積を拡大／縮小させるダイヤフラムとして機能する。キャビティー６３１の内部には、インクが充填されている。そして、キャビティー６３１は、振動板６２１の変形により、内部容積が変化する圧力室として機能する。ノズル６５１は、ノズルプレート６３２に形成されると共に、キャビティー６３１に連通する開孔部である。そして、キャビティー６３１の内部容積の変化に応じてキャビティー６３１の内部に貯留されたインクが、ノズル６５１から吐出される。
【００９７】
圧電素子６０は、圧電体６０１を一対の電極６１１，６１２で挟んだ構造である。この構造の圧電体６０１は、電極６１１，６１２に供給された電圧に応じて、電極６１１，６１２及び振動板６２１の中央部分が、両端部分に対して図１３における上下方向に撓む。
具体的には、一端である電極６１１には、駆動信号ＶＯＵＴが供給され、他端である電極６１２には、電圧ＶＢＳが供給される。そして、駆動信号ＶＯＵＴの電圧が高くなると、圧電素子６０の中央部分が上方向に撓み、駆動信号ＶＯＵＴの電圧が低くなると、圧電素子６０の中央部分が下方向に撓む。すなわち、圧電素子６０が上方向に撓めば、キャビティー６３１の内部容積が拡大する。したがって、インクがリザーバー６４１から引き込まれる。また、圧電素子６０が下方向に撓めば、キャビティー６３１の内部容積が縮小する。したがって、キャビティー６３１の内部容積の縮小の程度に応じた量のインクが、ノズル６５１から吐出される。以上のように、圧電素子６０は、駆動信号ＣＯＭＡ，ＣＯＭＢに基づく駆動信号ＶＯＵＴにより駆動する。そして、圧電素子６０が、駆動信号ＣＯＭＡ１〜ＣＯＭＡｎ，ＣＯＭＢ１〜ＣＯＭＢｎに基づく駆動信号ＶＯＵＴにより駆動することで、ノズル６５１からインクが吐出される。なお、圧電素子６０は、図示した構造に限られず、圧電素子６０の変位に伴いインクを吐出させることができる型であればよい。また、圧電素子６０は、屈曲振動に限られず、縦振動を用いる構成でもよい。
【００９８】
次に図１４を用いて、ヘッド基板３２０の構成について説明する。図１４はヘッド基板３２０を面３２１から見た場合の平面図である。ヘッド基板３２０は、辺３２３と、辺３２３に対してＸ方向で対向する辺３２４と、辺３２５と、辺３２５に対してＹ方向に対向する辺３２６とで形成される略矩形状である。なお、ヘッド基板３２０の形状は矩形に限られるものではなく、例えば、六角形や八角形等の多角形であってもよく、さらには、切欠きや弧等が形成されていてもよい。すなわち、ヘッド基板３２０は、辺３２３と、辺３２３と異なる辺３２４と、辺３２３及び辺３２４と交差する辺３２５と、辺３２３及び辺３２４と交差し辺３２５と異なる辺３２６を有する。ここで、辺３２３及び辺３２４と交差する辺３２５及び辺３２６とは、辺３２５の仮想延長線が、辺３２３の仮想延長線、及び辺３２４の仮想延長線と交差し、辺３２６の仮想延長線が、辺３２３の仮想延長線、及び辺３２４の仮想延長線と交差することを含む。
【００９９】
ヘッド基板３２０には、ＦＰＣ挿通孔３３１ａ〜３３１ｆ，３４１ａ〜３４１ｆと、電極群３３２ａ〜３３２ｆ，３４２ａ〜３４２ｆと、複数のコネクター３５０とが設けられている。
【０１００】
電極群３３２ａ〜３３２ｆ，３４２ａ〜３４２ｆのそれぞれは、Ｙ方向に並設された複数の電極を有する。電極群３３２ａ〜３３２ｆは、辺３２４から辺３２３に向かって辺３２６に沿って電極群３３２ａ，３３２ｂ，３３２ｃ，３３２ｄ，３３２ｅ，３３２ｆの順に並んで設けられる。電極群３４２ａ〜３４２ｆは、辺３２３から辺３２４に向かい辺３２５に沿って電極群３４２ａ，３４２ｂ，３４２ｃ，３４２ｄ，３４２ｅ，３４２ｆの順に並んで設けられる。以上のように設けられた電極群３３２ａ〜３３２ｆ，３４２ａ〜３４２ｆのそれぞれには、不図示のフレキシブル配線基板（ＦＰＣ：Flexible Printed Circuits）が電気的に接続される。
【０１０１】
電極群３３２ａに接続されるＦＰＣは、電極群３３２ａに供給される各種信号を、駆動信号選択回路２００−１に伝搬する。すなわち、電極群３３２ａには、ノズル列Ｌ１ａの動作を制御するための各種制御信号が供給される。同様に、電極群３３２ｂ〜３３２ｆのそれぞれに接続されるＦＰＣは、電極群３３２ｂ〜３３２ｆのそれぞれに供給される各種信号を、駆動信号選択回路２００−２〜２００−６のそれぞれに伝搬する。すなわち、電極群３３２ｂ〜３３２ｆのそれぞれには、ノズル列Ｌ１ｂ〜Ｌ１ｆのそれぞれの動作を制御するための各種制御信号が供給される。同様に、電極群３４２ａ〜３４２ｆのそれぞれに接続されるＦＰＣは、電極群３４２ａ〜３４２ｆのそれぞれに供給される各種信号を、駆動信号選択回路２００−７〜２００−１２のそれぞれに伝搬する。すなわち、電極群３４２ａ〜３４２ｆのそれぞれには、ノズル列Ｌ２ａ〜Ｌ２ｆのそれぞれの動作を制御するための各種制御信号が供給される。
【０１０２】
ＦＰＣ挿通孔３３１ａ〜３３１ｆ，３４１ａ〜３４１ｆは、ヘッド基板３２０の面３２１と面３２２とを貫通する貫通孔である。そして、ＦＰＣ挿通孔３３１ａ〜３３１ｆ，３４１ａ〜３４１ｆのそれぞれには、電極群３３２ａ〜３３２ｆ，３４２ａ〜３４２ｆのそれぞれに電気的に接続されたＦＰＣが挿通される。
【０１０３】
具体的には、ＦＰＣ挿通孔３３１ａは、電極群３３２ａと電極群３３２ｂとの間に設けられる。ＦＰＣ挿通孔３３１ｂは、電極群３３２ｂと電極群３３２ｃとの間に設けられる。ＦＰＣ挿通孔３３１ｃは、電極群３３２ｃと電極群３３２ｄとの間に設けられる。ＦＰＣ挿通孔３３１ｄは、電極群３３２ｄと電極群３３２ｅとの間に設けられる。ＦＰＣ挿通孔３３１ｅは、電極群３３２ｅと電極群３３２ｆとの間に設けられる。ＦＰＣ挿通孔３３１ｆは、電極群３３２ｆの辺３２３側に設けられる。そして、ＦＰＣ挿通孔３３１ａ〜３３１ｆのそれぞれには、電極群３３２ａ〜３３２ｆのそれぞれと電気的に接続されたＦＰＣが挿通される。
【０１０４】
また、ＦＰＣ挿通孔３４１ａは、電極群３４２ａと電極群３４２ｂとの間に設けられる。ＦＰＣ挿通孔３４１ｂは、電極群３４２ｂと電極群３４２ｃとの間に設けられる。ＦＰＣ挿通孔３４１ｃは、電極群３４２ｃと電極群３４２ｄとの間に設けられる。ＦＰＣ挿通孔３４１ｄは、電極群３４２ｄと電極群３４２ｅとの間に設けられる。ＦＰＣ挿通孔３４１ｅは、電極群３４２ｅと電極群３４２ｆとの間に設けられる。ＦＰＣ挿通孔３４１ｆは、電極群３４２ｆの辺３２４側に設けられる。そして、ＦＰＣ挿通孔３４１ａ〜３４１ｆのそれぞれには、電極群３４２ａ〜３４２ｆのそれぞれと電気的に接続されたＦＰＣが挿通される。
【０１０５】
複数のコネクター３５０の内のコネクター３５０ａ〜３５０ｄのそれぞれは、電極群３３２ａ〜３３２ｆ，３４２ａ〜３４２ｆ、及びＦＰＣ挿通孔３３１ａ〜３３１ｆ，３４１ａ〜３４１ｆの辺３２３側に設けられ、複数のコネクター３５０の内のコネクター３５０ｅ〜３５０ｈのそれぞれは、電極群３３２ａ〜３３２ｆ，３４２ａ〜３４２ｆ、及びＦＰＣ挿通孔３３１ａ〜３３１ｆ，３４１ａ〜３４１ｆの辺３２４側に設けられている。
【０１０６】
ここで、コネクター３５０の構成について図１５を用いて説明する。図１５は、コネクター３５０の構成を示す図である。図１５に示すように、コネクター３５０は、ハウジング３５１と、ハウジング３５１に形成されたケーブル取付部３５２と、並設されたｐ個の端子３５３とを有する。ここで、コネクター３５０に並設されたｐ個の端子３５３を、図１５において左から右に向かい順に、端子３５３−１，３５３−２，・・・，３５３−ｐと称する。
【０１０７】
以上のように構成された複数のコネクター３５０には、ケーブル１９が取り付けられる。具体的には、ケーブル１９は、コネクター３５０のケーブル取付部３５２に取り付けられる。この場合において、図１１に示すケーブル１９の端子１９６−１〜１９６−ｐのそれぞれと、コネクター３５０の端子３５３−１〜３５３−ｐのそれぞれとが電気的に接続される。これにより、ケーブル１９の配線１９７−１〜１９７−ｐのそれぞれで伝搬される各種信号が、コネクター３５０を介して液体吐出ヘッド２１に入力される。
【０１０８】
ここで、ケーブル１９とコネクター３５０との電気接続の具体例について図１６を用いて説明する。図１６は、ケーブル１９がコネクター３５０に取り付けられた場合の具体例を説明するための図である。図１６に示すように、コネクター３５０の端子３５３は、基板取付部３５４、ハウジング挿通部３５５、及びケーブル保持部３５６を有する。基板取付部３５４は、コネクター３５０の下方に位置し、ハウジング３５１とヘッド基板３２０との間に設けられる。そして、基板取付部３５４は、例えば、はんだなどによりヘッド基
板３２０に設けられる不図示の電極と電気的に接続される。ハウジング挿通部３５５は、ハウジング３５１の内部を挿通する。そして、ハウジング挿通部３５５は、基板取付部３５４とケーブル保持部３５６とを電気的に接続する。ケーブル保持部３５６は、ケーブル取付部３５２の内部に突出する湾曲形状を有する。そして、ケーブル取付部３５２にケーブル１９が取り付けられた場合、ケーブル保持部３５６と端子１９６とが接触部１８０を介して電気的に接触する。これにより、ケーブル１９とコネクター３５０、及びヘッド基板３２０とが電気的に接続される。この場合において、ケーブル１９が取り付けられることで、ケーブル保持部３５６に形成された湾曲形状に応力が生じる。そして当該応力により、ケーブル１９は、ケーブル取付部３５２の内部に保持される。
【０１０９】
以上のようにケーブル１９とコネクター３５０とは、端子１９６と端子３５３とが接触部１８０を介して接触することで電気的に接続される。なお、図１０には、端子１９６−１〜１９６−ｐのそれぞれと、コネクター３５０の端子３５３とが電気的に接触する接触部１８０−１〜１８０−ｐが示されている。そして、ケーブル１９は、端子１９５−ｋがコネクター１２と電気的に接続され、端子１９６−ｋが接触部１８０−ｋを介してコネクター３５０と電気的に接続される。
【０１１０】
図１４に戻り、ヘッド基板３２０に設けられるコネクター３５０ａ〜３５０ｈの配置の詳細について説明する。なお、以下の説明において、コネクター３５０ａが有するハウジング３５１をハウジング３５１ａ、ケーブル取付部３５２をケーブル取付部３５２ａ、及びｐ個の端子３５３をｐ個の端子３５３ａと称する。また、ｐ個の端子３５３ａのそれぞれを、端子３５３ａ−１〜３５３ａ−ｐと称する。同様に、コネクター３５０ｂ〜３５０ｈのそれぞれが有するハウジング３５１をハウジング３５１ｂ〜３５１ｈ、ケーブル取付部３５２をケーブル取付部３５２ｂ〜３５２ｈ、及びｐ個の端子３５３をｐ個の端子３５３ｂ〜３５３ｈと称する。また、ｐ個の端子３５３ｂのそれぞれを、端子３５３ｂ−１〜３５３ｂ−ｐと称し、ｐ個の端子３５３ｃのそれぞれを、端子３５３ｃ−１〜３５３ｃ−ｐと称し、ｐ個の端子３５３ｄのそれぞれを、端子３５３ｄ−１〜３５３ｄ−ｐと称し、ｐ個の端子３５３ｅのそれぞれを、端子３５３ｅ−１〜３５３ｅ−ｐと称し、ｐ個の端子３５３ｆのそれぞれを、端子３５３ｆ−１〜３５３ｆ−ｐと称し、ｐ個の端子３５３ｇのそれぞれを、端子３５３ｇ−１〜３５３ｇ−ｐと称し、ｐ個の端子３５３ｈのそれぞれを、端子３５３ｈ−１〜３５３ｈ−ｐと称する。
【０１１１】
コネクター３５０ａは、電極群３３２ａ〜３３２ｆ，３４２ａ〜３４２ｆ、及びＦＰＣ挿通孔３３１ａ〜３３１ｆ，３４１ａ〜３４１ｆの辺３２４側において、ｐ個の端子３５３ａが、辺３２４に沿って、辺３２５から辺３２６に向かい端子３５３ａ−１，３５３ａ−２，・・・，３５３ａ−ｐの順に並ぶように設けられる。
【０１１２】
また、コネクター３５０ｂは、電極群３３２ａ〜３３２ｆ，３４２ａ〜３４２ｆ、及びＦＰＣ挿通孔３３１ａ〜３３１ｆ，３４１ａ〜３４１ｆの辺３２４側であって、コネクター３５０ａの辺３２３側において、ｐ個の端子３５３ｂが、辺３２４に沿って、辺３２６から辺３２５に向かい端子３５３ｂ−１，３５３ｂ−２，・・・，３５３ｂ−ｐの順に並ぶように設けられる。
【０１１３】
また、コネクター３５０ｃは、電極群３３２ａ〜３３２ｆ，３４２ａ〜３４２ｆ、及びＦＰＣ挿通孔３３１ａ〜３３１ｆ，３４１ａ〜３４１ｆの辺３２４側であって、コネクター３５０ａの辺３２５側において、ｐ個の端子３５３ｃが、辺３２４に沿って、辺３２５から辺３２６に向かい端子３５３ｃ−１，３５３ｃ−２，・・・，３５３ｃ−ｐの順に並ぶように設けられる。
【０１１４】
また、コネクター３５０ｄは、電極群３３２ａ〜３３２ｆ，３４２ａ〜３４２ｆ、及び
ＦＰＣ挿通孔３３１ａ〜３３１ｆ，３４１ａ〜３４１ｆの辺３２４側であって、コネクター３５０ｃの辺３２３側において、ｐ個の端子３５３ｄが、辺３２４に沿って、辺３２６から辺３２５に向かい端子３５３ｄ−１，３５３ｄ−２，・・・，３５３ｄ−ｐの順に並ぶように設けられる。
【０１１５】
また、コネクター３５０ｅは、電極群３３２ａ〜３３２ｆ，３４２ａ〜３４２ｆ、及びＦＰＣ挿通孔３３１ａ〜３３１ｆ，３４１ａ〜３４１ｆの辺３２３側において、ｐ個の端子３５３ｅが、辺３２３に沿って、辺３２６から辺３２５に向かい端子３５３ｅ−１，３５３ｅ−２，・・・，３５３ｅ−ｐの順に並ぶように設けられる。
【０１１６】
また、コネクター３５０ｆは、電極群３３２ａ〜３３２ｆ，３４２ａ〜３４２ｆ、及びＦＰＣ挿通孔３３１ａ〜３３１ｆ，３４１ａ〜３４１ｆの辺３２３側であって、コネクター３５０ｅの辺３２４側において、ｐ個の端子３５３ｆが、辺３２３に沿って、辺３２５から辺３２６に向かい端子３５３ｆ−１，３５３ｆ−２，・・・，３５３ｆ−ｐの順に並ぶように設けられる。
【０１１７】
また、コネクター３５０ｇは、電極群３３２ａ〜３３２ｆ，３４２ａ〜３４２ｆ、及びＦＰＣ挿通孔３３１ａ〜３３１ｆ，３４１ａ〜３４１ｆの辺３２３側であって、コネクター３５０ａの辺３２５側において、ｐ個の端子３５３ｇが、辺３２３に沿って、辺３２６から辺３２５に向かい端子３５３ｇ−１，３５３ｇ−２，・・・，３５３ｇ−ｐの順に並ぶように設けられる。
【０１１８】
また、コネクター３５０ｈは、電極群３３２ａ〜３３２ｆ，３４２ａ〜３４２ｆ、及びＦＰＣ挿通孔３３１ａ〜３３１ｆ，３４１ａ〜３４１ｆの辺３２３側であって、コネクター３５０ｇの辺３２４側において、ｐ個の端子３５３ｆが、辺３２３に沿って、辺３２５から辺３２６に向かい端子３５３ｈ−１，３５３ｈ−２，・・・，３５３ｈ−ｐの順に並ぶように設けられる。
【０１１９】
以上のように構成されたヘッド基板３２０には、コネクター３５０ａ〜３５０ｈのそれぞれに接続される複数のケーブル１９を介して液体吐出ヘッド２１を制御するための各種信号が供給される。液体吐出ヘッド２１に供給された各種信号は、ヘッド基板３２０に設けられる不図示の配線パターンで伝搬され、電極群３３２ａ〜３３２ｆ，３４２ａ〜３４２ｆに入力される。そして、当該各種信号は、電極群３３２ａ〜３３２ｆ，３４２ａ〜３４２ｆのそれぞれに接続されるＦＰＣを介して、駆動信号選択回路２００−１〜２００−１２のそれぞれに供給される。これにより、ノズル列Ｌ１ａ〜Ｌ１ｆ，Ｌ２ａ〜Ｌ２ｆのそれぞれが有する圧電素子６０が所望のタイミングで駆動し、当該圧電素子６０の駆動に応じた量のインクがノズル６５１から吐出される。
【０１２０】
ここで、図２に示す液体吐出ヘッド２１が有する復元回路１３０を構成する集積回路は、ヘッド基板３２０の面３２２、面３２１、ヘッド３１０の内部に設けられていてもよく、ＦＰＣ上にＣＯＦ（Chip On Film）実装されていてもよい。また、駆動信号選択回路２００−１〜２００−６のそれぞれを構成する集積回路は、ヘッド３１０の内部に設けられていてもよく、ＦＰＣ上にＣＯＦ実装されていてもよい。
【０１２１】
１．６  液体吐出ヘッドと液体吐出ヘッド制御回路との間で伝搬される信号
ここで、制御機構１０と液体吐出ヘッド２１との間で伝搬される信号の詳細について説明する。なお、以下の説明では、コネクター３５０ａに接続されるケーブル１９をケーブル１９ａと称する。そして、ケーブル１９ａの端子１９６ａ−ｊ（ｊは１〜ｐのいずれか）と、コネクター３５０ａの端子３５３ａ−ｊとが接触部１８０ａ−ｊを介して電気的に接続される。同様に、コネクター３５０ｂ〜３５０ｈのそれぞれに接続されるケーブル１
９をそれぞれ、ケーブル１９ｂ〜１９ｈと称する。そして、ケーブル１９ｂの端子１９６ｂ−ｊと、コネクター３５０ｂの端子３５３ｂ−ｊとが接触部１８０ｂ−ｊを介して電気的に接続され、ケーブル１９ｃの端子１９６ｃ−ｊと、コネクター３５０ｃの端子３５３ｃ−ｊとが接触部１８０ｃ−ｊを介して電気的に接続され、ケーブル１９ｄの端子１９６ｄ−ｊと、コネクター３５０ｄの端子３５３ｄ−ｊとが接触部１８０ｄ−ｊを介して電気的に接続され、ケーブル１９ｅの端子１９６ｅ−ｊと、コネクター３５０ｅの端子３５３ｅ−ｊとが接触部１８０ｅ−ｊを介して電気的に接続され、ケーブル１９ｆの端子１９６ｆ−ｊと、コネクター３５０ｆの端子３５３ｆ−ｊとが接触部１８０ｆ−ｊを介して電気的に接続され、ケーブル１９ｇの端子１９６ｇ−ｊと、コネクター３５０ｇの端子３５３ｇ−ｊとが接触部１８０ｇ−ｊを介して電気的に接続され、ケーブル１９ｈの端子１９６ｈ−ｊと、コネクター３５０ｈの端子３５３ｈ−ｊとが接触部１８０ｈ−ｊを介して電気的に接続される。
【０１２２】
図１７は、ケーブル１９ａで伝搬され、コネクター３５０ａを介して液体吐出ヘッド２１に入力される信号の詳細を示す図である。図１７に示すようにケーブル１９ａは、複数の駆動信号選択回路２００に供給されるグラウンド信号ＧＮＤ１、電圧ＶＨＶ，ＶＤＤを含む複数の制御信号を伝搬する。そして、ケーブル１９ａで伝搬された複数の制御信号は、コネクター３５０ａを介して、液体吐出ヘッド２１に供給される。
【０１２３】
具体的には、グラウンド信号ＧＮＤ１は、配線１９７ａ−２，１９７ａ−４〜１９７ａ−１９のそれぞれで伝搬される。そして、グラウンド信号ＧＮＤ１は、接触部１８０ａ−３，１８０ａ−４〜１８０ａ−１９のそれぞれ、及び液体吐出ヘッド２１が有する端子３５３ａ−３，３５３ａ−４〜３５３ａ−１９のそれぞれを介して駆動信号選択回路２００−１〜２００−１２に入力される。また、電圧ＶＨＶは、配線１９７ａ−１で伝搬される。そして、電圧ＶＨＶは、接触部１８０ａ−１、及び液体吐出ヘッド２１が有する端子３５３ａ−１を介して駆動信号選択回路２００−１〜２００−１２に入力される。また、電圧ＶＤＤは、配線１９７ａ−２０〜１９７ａ−２３のそれぞれで伝搬される。そして、電圧ＶＤＤは、接触部１８０ａ−２０〜１８０ａ−２３のそれぞれ、及び液体吐出ヘッド２１が有する端子３５３ａ−２０〜３５３ａ−２３のそれぞれを介して復元回路１３０、及び駆動信号選択回路２００−１〜２００−１２に入力される。ここで、グラウンド信号ＧＮＤ１が第１基準電圧信号の一例である。
【０１２４】
また、ケーブル１９ａは、液体吐出ヘッド２１の温度異常を示す信号である信号ＸＨＯＴ、液体吐出ヘッド２１の温度情報を示す信号ＴＨなどの複数の制御信号を伝搬する。そして、信号ＸＨＯＴ，ＴＨ等の複数の制御信号は、コネクター３５０ａを介して液体吐出ヘッド２１に入力される。
【０１２５】
図１８は、ケーブル１９ｂで伝搬され、コネクター３５０ｂを介して液体吐出ヘッド２１に入力される信号の詳細を示す図である。図１８に示すようにケーブル１９ｂは、差動クロック信号ｄＳＣＫ、差動印刷データ信号ｄＳＩ１〜ｄＳＩ６を含む差動信号と、基ラッチ信号ｏＬＡＴ、基チェンジ信号ｏＣＨａ，ｏＣＨｂ、グラウンド信号ＧＮＤ１，ＧＮＤ２を含むシングルエンド信号とを含む複数の制御信号を伝搬する。そして、ケーブル１９ｂで伝搬された複数の制御信号は、コネクター３５０ｂを介して、液体吐出ヘッド２１に供給される。
【０１２６】
一対の差動クロック信号ｄＳＣＫは、配線１９７ｂ−４，１９７ｂ−５で伝搬される。具体的には、一対の差動クロック信号ｄＳＣＫの内の一方の信号ｄＳＣＫ＋は、配線１９７ｂ−４で伝搬される。そして、信号ｄＳＣＫ＋は、接触部１８０ｂ−４、及び液体吐出ヘッド２１が有する端子３５３ｂ−４を介して、復元回路１３０に入力される。すなわち、端子３５３ｂ−４は、復元回路１３０と電気的に接続される。そして、配線１９７ｂ−
４は、接触部１８０ｂ−４を介して端子３５３ｂ−４と電気的に接続され、一対の差動クロック信号ｄＳＣＫの内の一方の信号ｄＳＣＫ＋を伝搬する。これにより、端子３５３ｂ−４には、一対の差動クロック信号ｄＳＣＫの内の一方の信号ｄＳＣＫ＋が入力される。
【０１２７】
また、一対の差動クロック信号ｄＳＣＫの内の他方の信号ｄＳＣＫ−は、配線１９７ｂ−５で伝搬される。そして、信号ｄＳＣＫ−は、接触部１８０ｂ−５、及び液体吐出ヘッド２１が有する端子３５３ｂ−５を介して、復元回路１３０に入力される。すなわち、端子３５３ｂ−５は、復元回路１３０と電気的に接続される。そして、配線１９７ｂ−５は、接触部１８０ｂ−５を介して端子３５３ｂ−５と電気的に接続され、一対の差動クロック信号ｄＳＣＫの内の他方の信号ｄＳＣＫ−を伝搬する。これにより、端子３５３ｂ−５には、一対の差動クロック信号ｄＳＣＫの内の他方の信号ｄＳＣＫ−が入力される。ここで、端子３５３ｂ−４が第４端子の一例であり、配線１９７ｂ−４が第４配線の一例であり、端子３５３ｂ−５が第５端子の一例であり、配線１９７ｂ−５が第５配線の一例である。そして、配線１９７ｂ−４と端子３５３ｂ−４とが電気的に接触する接触部１８０ｂ−４が第４接触部の一例であり、配線１９７ｂ−５と端子３５３ｂ−５とが電気的に接触する接触部１８０ｂ−５が第５接触部の一例である。
【０１２８】
一対の差動印刷データ信号ｄＳＩ１は、配線１９７ｂ−７，１９７ｂ−８で伝搬される。具体的には、一対の差動印刷データ信号ｄＳＩ１の内の一方の信号ｄＳＩ１＋は、配線１９７ｂ−７で伝搬される。そして、信号ｄＳＩ１＋は、接触部１８０ｂ−７、及び液体吐出ヘッド２１が有する端子３５３ｂ−７を介して、復元回路１３０に入力される。すなわち、端子３５３ｂ−７は、復元回路１３０と電気的に接続される。そして、配線１９７ｂ−７は、接触部１８０ｂ−７を介して端子３５３ｂ−７と電気的に接続され、一対の差動印刷データ信号ｄＳＩ１の内の一方の信号ｄＳＩ１＋を伝搬する。これにより、端子３５３ｂ−７には、一対の差動印刷データ信号ｄＳＩ１の内の一方の信号ｄＳＩ１＋が入力される。
【０１２９】
また、一対の差動印刷データ信号ｄＳＩ１の内の他方の信号ｄＳＩ１−は、配線１９７ｂ−８で伝搬される。そして、信号ｄＳＩ１−は、接触部１８０ｂ−８、及び液体吐出ヘッド２１が有する端子３５３ｂ−８を介して、復元回路１３０に入力される。すなわち、端子３５３ｂ−８は、復元回路１３０と電気的に接続される。そして、配線１９７ｂ−８は、接触部１８０ｂ−８を介して端子３５３ｂ−８と電気的に接続され、一対の差動印刷データ信号ｄＳＩ１の内の他方の信号ｄＳＩ１−を伝搬する。これにより、端子３５３ｂ−８には、一対の差動印刷データ信号ｄＳＩ１の内の他方の信号ｄＳＩ１−が入力される。
【０１３０】
一対の差動印刷データ信号ｄＳＩ２〜ｄＳＩ６のそれぞれは、配線１９７ｂ−９〜１９７ｂ−１８のそれぞれで伝搬される。具体的には、一対の差動印刷データ信号ｄＳＩ２〜ｄＳＩ６のそれぞれの一方の信号ｄＳＩ２＋，ｄＳＩ３＋，ｄＳＩ４＋，ｓＤＩ５＋，ｓＤＩ６＋は、配線１９７ｂ−９，１９７ｂ−１１，１９７ｂ−１３，１９７ｂ−１５，１９７ｂ−１７のそれぞれで伝搬される。そして、信号ｄＳＩ２＋，ｄＳＩ３＋，ｄＳＩ４＋，ｓＤＩ５＋，ｓＤＩ６＋のそれぞれは、接触部１８０ｂ−９，１８０ｂ−１１，１８０ｂ−１３，１８０ｂ−１５，１８０ｂ−１７のそれぞれ、及び液体吐出ヘッド２１が有する端子３５３ｂ−９，３５３ｂ−１１，３５３ｂ−１３，３５３ｂ−１５，３５３ｂ−１７のそれぞれを介して、復元回路１３０に入力される。また、一対の差動印刷データ信号ｄＳＩ２〜ｄＳＩ６のそれぞれの他方の信号ｄＳＩ２−，ｄＳＩ３−，ｄＳＩ４−，ｓＤＩ５−，ｓＤＩ６−は、配線１９７ｂ−１０，１９７ｂ−１２，１９７ｂ−１４，１９７ｂ−１６，１９７ｂ−１８のそれぞれで伝搬される。そして、信号ｄＳＩ２−，ｄＳＩ３−，ｄＳＩ４−，ｓＤＩ５−，ｓＤＩ６−のそれぞれは、接触部１８０ｂ−１０，１８０ｂ−１２，１８０ｂ−１４，１８０ｂ−１６，１８０ｂ−１８のそれぞれ、及び液体吐
出ヘッド２１が有する端子３５３ｂ−１０，３５３ｂ−１２，３５３ｂ−１４，３５３ｂ−１６，３５３ｂ−１８のそれぞれを介して、復元回路１３０に入力される。
【０１３１】
基ラッチ信号ｏＬＡＴは、配線１９７ｂ−２０で伝搬される。そして、基ラッチ信号ｏＬＡＴは、液体吐出ヘッド２１が有する端子３５３ｂ−２０を介して、復元回路１３０に入力される。すなわち、端子３５３ｂ−２０は、復元回路１３０と電気的に接続される。そして、配線１９７ｂ−２０は、接触部１８０ｂ−２０を介して端子３５３ｂ−２０と電気的に接続され、基ラッチ信号ｏＬＡＴを伝搬する。したがって、端子３５３ｂ−２０には、基ラッチ信号ｏＬＡＴが入力される。ここで、基ラッチ信号ｏＬＡＴが第２制御信号の一例であり、端子３５３ｂ−２０が第７端子の一例であり、配線１９７ｂ−２０が第７配線の一例であり、配線１９７ｂ−２０と端子３５３ｂ−２０とが電気的に接触する接触部１８０ｂ−２０が第７接触部の一例である。
【０１３２】
また、基チェンジ信号ｏＣＨａは、配線１９７ｂ−２２で伝搬される。そして、基チェンジ信号ｏＣＨＡは、接触部１８０ｂ−２２、及び液体吐出ヘッド２１が有する端子３５３ｂ−２２を介して、復元回路１３０に入力される。すなわち、端子３５３ｂ−２２は、復元回路１３０と電気的に接続される。そして、配線１９７ｂ−２２は、接触部１８０ｂ−２２を介して端子３５３ｂ−２２と電気的に接続され、基チェンジ信号ｏＣＨａを伝搬する。したがって、端子３５３ｂ−２２には、基チェンジ信号ｏＣＨａが入力される。
【０１３３】
また、基チェンジ信号ｏＣＨｂは、配線１９７ｂ−２３で伝搬される。そして、基チェンジ信号ｏＣＨｂは、接触部１８０ｂ−２３、及び液体吐出ヘッド２１が有する端子３５３ｂ−２３を介して、復元回路１３０に入力される。すなわち、端子３５３ｂ−２３は、復元回路１３０と電気的に接続される。そして、配線１９７ｂ−２３は、接触部１８０ｂ−２３を介して端子３５３ｂ−２３と電気的に接続され、基チェンジ信号ｏＣＨｂを伝搬する。したがって、端子３５３ｂ−２３には、基チェンジ信号ｏＣＨｂが入力される。
【０１３４】
グラウンド信号ＧＮＤ１は、配線１９７ｂ−１９，１９７ｂ−２１で伝搬される。そして、グラウンド信号ＧＮＤ１は、接触部１８０ｂ−１９，１８０ｂ−２１、及び液体吐出ヘッド２１が有する端子３５３ｂ−１９，３５３ｂ−２１を介して、駆動信号選択回路２００−１〜２００−１２に入力される。すなわち、端子３５３ｂ−１９は、駆動信号選択回路２００−１〜２００−１２と電気的に接続される。そして、配線１９７ｂ−１９は、接触部１８０ｂ−１９を介して端子３５３ｂ−１９と電気的に接続され、グラウンド信号ＧＮＤ１を伝搬する。これにより、端子３５３ｂ−１９には、グラウンド信号ＧＮＤ１が入力される。また、端子３５３ｂ−２１は、駆動信号選択回路２００−１〜２００−１２と電気的に接続される。そして、配線１９７ｂ−２１は、接触部１８０ｂ−２１を介して端子３５３ｂ−２１と電気的に接続され、グラウンド信号ＧＮＤ１を伝搬する。これにより、端子３５３ｂ−２１には、グラウンド信号ＧＮＤ１が入力される。ここで、端子３５３ｂ−１９が第１端子の一例であり、配線１９７ｂ−１９が第１配線の一例であり、配線１９７ｂ−１９と端子３５３ｂ−１９とが電気的に接触する接触部１８０ｂ−１９が第１接触部の一例である。また、端子３５３ｂ−２１が第６端子の一例であり、配線１９７ｂ−２１が第６配線の一例であり、配線１９７ｂ−２１と端子３５３ｂ−２１とが電気的に接触する接触部１８０ｂ−２１が第６接触部の一例である。
【０１３５】
以上のように配置されたグラウンド信号ＧＮＤ１が伝搬される配線１９７ｂ−１９，１９７ｂ−２１は、配線１９７ｂ−４と配線１９７ｂ−５とが並ぶＹ方向に沿って、基ラッチ信号ｏＬＡＴが伝搬される配線１９７ｂ−２０が、配線１９７ｂ−１９及び配線１９７ｂ−２１と隣り合って位置している。すなわち、グラウンド信号ＧＮＤ１が入力される端子３５３ｂ−１９，３５３ｂ−２１は、端子３５３ｂ−４と端子３５３ｂ−５とが並ぶＹ方向に沿って、基ラッチ信号ｏＬＡＴが入力される端子３５３ｂ−２０が、端子３５３ｂ
−１９及び端子３５３ｂ−２１と隣り合って位置している。これにより、基ラッチ信号ｏＬＡＴが伝搬される配線を、グラウンド信号ＧＮＤ１によりシールドすることが可能となり、基ラッチ信号ｏＬＡＴに外来ノイズが重畳するおそれを低減することが可能となる。
【０１３６】
グラウンド信号ＧＮＤ２は、配線１９７ｂ−３，１９７ｂ−６で伝搬される。そして、グラウンド信号ＧＮＤ２は、接触部１８０ｂ−３，１８０ｂ−６、及び液体吐出ヘッド２１が有する端子３５３ｂ−３，３５３ｂ−６を介して、復元回路１３０に入力される。すなわち、端子３５３ｂ−３，３５３ｂ−６は、復元回路１３０と電気的に接続される。そして、配線１９７ｂ−３は、接触部１８０ｂ−３を介して端子３５３ｂ−３と電気的に接続され、復元回路１３０に供給されるグラウンド信号ＧＮＤ２を伝搬し、配線１９７ｂ−６は、接触部１８０ｂ−６を介して端子３５３ｂ−６と電気的に接続され、復元回路１３０に供給されるグラウンド信号ＧＮＤ２を伝搬する。よって、端子３５３ｂ−３，３５３−６には、復元回路１３０に供給されるグラウンド信号ＧＮＤ２が入力される。ここで、グラウンド信号ＧＮＤ２が第２基準電圧信号の一例である。また、端子３５３ｂ−３が第２端子の一例であり、配線１９７ｂ−３が第２配線の一例であり、配線１９７ｂ−３と端子３５３ｂ−３とが電気的に接触する接触部１８０ｂ−３が第２接触部の一例である。また、端子３５３ｂ−６が第３端子の一例であり、配線１９７ｂ−６が第３配線の一例であり、配線１９７ｂ−６と端子３５３ｂ−６とが電気的に接触する接触部１８０ｂ−６が第３接触部の一例である。
【０１３７】
以上のように、液体吐出ヘッド制御回路１５において、信号ｄＳＣＫ＋が伝搬される配線１９７ｂ−４と信号ｄＳＣＫ−が伝搬される配線１９７ｂ−５とがＹ方向に沿って並んで配置され、配線１９７ｂ−４と配線１９７ｂ−５とが並ぶＹ方向に沿って、配線１９７ｂ−４と配線１９７ｂ−３とが隣り合って位置し、配線１９７ｂ−５と配線１９７ｂ−６とが隣り合って位置し、配線１９７ｂ−４及び配線１９７ｂ−５は、配線１９７ｂ−３と配線１９７ｂ−６との間に位置している。すなわち、液体吐出ヘッド制御回路１５において、配線１９７ｂ−３，１９７ｂ−４，１９７ｂ−５，１９７ｂ−６は、同一のケーブル１９ｂに設けられて、配線１９７ｂ−４と配線１９７ｂ−３とが隣接して位置し、配線１９７ｂ−５と配線１９７ｂ−６とが隣接して位置し、配線１９７ｂ−４及び配線１９７ｂ−５は、配線１９７ｂ−３と配線１９７ｂ−６との間に位置している。ここで、隣接して位置するとは、配線と配線との間に絶縁体１９８、又は空間等を介して隣り合って位置することを含む。換言すれば、配線１９７ｂ−３，１９７ｂ−４，１９７ｂ−５，１９７ｂ−６は、同一のケーブル１９ｂにおいて、配線１９７ｂ−３，１９７ｂ−４，１９７ｂ−５，１９７ｂ−６の順に設けられている。
【０１３８】
また、液体吐出ヘッド２１において、信号ｄＳＣＫ＋が入力される端子３５３ｂ−４と信号ｄＳＣＫ−が入力される端子３５３ｂ−５とがＹ方向に沿って並んで配置され、端子３５３ｂ−４と端子３５３ｂ−５とが並ぶＹ方向に沿って、端子３５３ｂ−４と端子３５３ｂ−３とが隣り合って位置し、端子３５３ｂ−５と端子３５３ｂ−６とが隣り合って位置し、端子３５３ｂ−４及び端子３５３ｂ−５は、端子３５３ｂ−３と端子３５３ｂ−６との間に位置している。すなわち、液体吐出ヘッド２１において、端子３５３ｂ−３，３５３ｂ−４，３５３ｂ−５，３５３ｂ−６は、同一のコネクター３５０ｂに設けられて、端子３５３ｂ−４と端子３５３ｂ−３とが隣接して位置し、端子３５３ｂ−５と端子３５３ｂ−６とが隣接して位置し、端子３５３ｂ−４及び端子３５３ｂ−５は、端子３５３ｂ−３と端子３５３ｂ−６との間に位置している。ここで、隣接して位置するとは、コネクター３５０に含まれる端子３５３ｂ−４と端子３５３ｂ−３、及び端子３５３ｂ−５と端子３５３ｂ−６とがハウジング３５１等の絶縁物、またケーブル取付部３５２の内部空間などを介して隣り合って位置することを含む。換言すれば、端子３５３ｂ−３，３５３ｂ−４，３５３ｂ−５，３５３ｂ−６は、同一のコネクター３５０ｂにおいて、端子３５３ｂ−３，３５３ｂ−４，３５３ｂ−５，３５３ｂ−６の順に設けられている。
【０１３９】
また、液体吐出装置１において、接触部１８０ｂ−４と接触部１８０ｂ−５とは並んで配置され、接触部１８０ｂ−４と接触部１８０ｂ−５とが並ぶ方向である方向Ｙに沿って、接触部１８０ｂ−４と接触部１８０ｂ−３とが隣り合って位置し、接触部１８０ｂ−５と接触部１８０ｂ−６とが隣り合って位置し、接触部１８０ｂ−４、及び接触部１８０ｂ−５は、接触部１８０ｂ−３と接触部１８０ｂ−６との間に位置している。すなわち、液体吐出装置１において、接触部１８０ｂ−３，１８０ｂ−４，１８０ｂ−５，１８０ｂ−６は、ケーブル１９ｂとコネクター３５０ｂとが電気的に接触する複数の接触部１８０ｂに含まれ、接触部１８０ｂ−４と接触部１８０ｂ−３とが隣接して位置し、接触部１８０ｂ−５と接触部１８０ｂ−６とが隣接して位置し、接触部１８０ｂ−４及び接触部１８０ｂ−５は、接触部１８０ｂ−３と接触部１８０ｂ−６との間に位置している。ここで、隣接して位置するとは、ケーブル１９ｂとコネクター３５０ｂとが電気的に接触する複数の接触部１８０ｂにおいて、接触部１８０ｂ−４と接触部１８０ｂ−３、及び接触部１８０ｂ−５と接触部１８０ｂ−６とが空間などを介して隣り合って位置することを含む。換言すれば、接触部１８０ｂ−３，１８０ｂ−４，１８０ｂ−５，１８０ｂ−６は、ケーブル１９ｂとコネクター３５０ｂとが電気的に接触する複数の接触部１８０ｂにおいて、接触部１８０ｂ−３，１８０ｂ−４，１８０ｂ−５，１８０ｂ−６の順に設けられている。
【０１４０】
これにより、差動クロック信号ｄＳＣＫが伝搬される配線を、グラウンド信号ＧＮＤ２によりシールドすることが可能となり、差動クロック信号ｄＳＣＫに外来ノイズが重畳するおそれを低減することが可能となる。さらに、差動クロック信号ｄＳＣＫをシールドするグラウンドを、復元回路１３０に供給されるグラウンド信号ＧＮＤ２とすることで、差動クロック信号ｄＳＣＫに基づき生じる電流経路を短くすることが可能となる。したがって、差動クロック信号ｄＳＣＫに生じる波形のひずみを低減することが可能となる。
【０１４１】
また、ケーブル１９ｂは、液体吐出ヘッド２１からのインクの吐出状態を検出する信号ＮＶＴＳ、当該信号ＮＶＴＳによるインクの吐出状態の検出タイミングを規定する信号ＴＳＩＧ、液体吐出ヘッド２１が有する複数の圧電素子６０を強制的に駆動させる信号ＮＣＨＧなどの複数の制御信号を伝搬する。そして、信号ＮＶＴＳ，ＴＳＩＧ，ＮＣＨＧ等の複数の制御信号は、コネクター３５０ｂを介して液体吐出ヘッド２１に入力される。
【０１４２】
図１９は、ケーブル１９ｃで伝搬され、コネクター３５０ｃを介して液体吐出ヘッド２１に入力される信号の詳細を示す図である。また、図２０は、ケーブル１９ｄで伝搬され、コネクター３５０ｄを介して液体吐出ヘッド２１に入力される信号の詳細を示す図である。図１９及び図２０に示すように、ケーブル１９ｃ、及びケーブル１９ｄは、ノズル列Ｌ２ａ〜Ｌ２ｆに含まれる圧電素子６０の一端に供給される駆動信号ＶＯＵＴ７〜ＶＯＵＴ１２のそれぞれの基となる駆動信号ＣＯＭＡ７〜ＣＯＭＡ１２，ＣＯＭＢ７〜ＣＯＭＢ１２と、当該圧電素子６０の他端に供給される電圧ＶＢＳ７〜電圧ＶＢＳ１２とを伝搬する。
【０１４３】
具体的には、ノズル列Ｌ２ａに含まれる圧電素子６０の一端に供給される駆動信号ＶＯＵＴ７の基となる駆動信号ＣＯＭＡ７は、配線１９７ｄ−２２，１９７ｄ−２４で伝搬される。そして、駆動信号ＣＯＭＡ７は、接触部１８０ｄ−２２，１８０ｄ−２４、及び端子３５３ｄ−２２，３５３ｄ−２４を介して駆動信号選択回路２００−７に入力される。また、駆動信号ＶＯＵＴ７の基となる駆動信号ＣＯＭＢ７は、配線１９７ｃ−２，１９７ｃ−４で伝搬される。そして、駆動信号ＣＯＭＢ７は、接触部１８０ｃ−２，１８０ｃ−４、及び端子３５３ｃ−２，３５３ｃ−４を介して駆動信号選択回路２００−７に入力される。また、電圧ＶＢＳ７は、配線１９７ｃ−１，１９７ｃ−３，１９７ｄ−２１，１９７ｄ−２３で伝搬される。そして、電圧ＶＢＳ７は、接触部１８０ｃ−１，１８０ｃ−３，１８０ｄ−２１，１８０ｄ−２３、及び端子３５３ｃ−１，３５３ｃ−３，３５３ｄ−
２１，３５３ｄ−２３を介して、当該圧電素子６０の他端に供給される。
【０１４４】
ノズル列Ｌ２ｂに含まれる圧電素子６０の一端に供給される駆動信号ＶＯＵＴ８の基となる駆動信号ＣＯＭＡ８は、配線１９７ｃ−６，１９７ｃ−８で伝搬される。そして、駆動信号ＣＯＭＡ８は、接触部１８０ｃ−６，１８０ｃ−８、及び端子３５３ｃ−６，３５３ｃ−８を介して駆動信号選択回路２００−８に入力される。また、駆動信号ＶＯＵＴ８の基となる駆動信号ＣＯＭＢ８は、配線１９７ｄ−２０，１９７ｄ−１８で伝搬される。そして、駆動信号ＣＯＭＢ８は、接触部１８０ｄ−２０，１８０ｄ−１８、及び端子３５３ｄ−２０，３５３ｄ−８を介して駆動信号選択回路２００−８に入力される。また、電圧ＶＢＳ８は、配線１９７ｃ−５，１９７ｃ−７，１９７ｄ−１７，１９７ｄ−１９で伝搬される。そして、電圧ＶＢＳ８は、接触部１８０ｃ−５，１８０ｃ−７，１８０ｄ−１７，１８０ｄ−１９、及び端子３５３ｃ−５，３５３ｃ−７，３５３ｄ−１７，３５３ｄ−１９を介して、当該圧電素子６０の他端に供給される。
【０１４５】
ノズル列Ｌ２ｃに含まれる圧電素子６０の一端に供給される駆動信号ＶＯＵＴ９の基となる駆動信号ＣＯＭＡ９は、配線１９７ｄ−１４，１９７ｄ−１６で伝搬される。そして、駆動信号ＣＯＭＡ９は、接触部１８０ｄ−１４，１８０ｄ−１６、及び端子３５３ｄ−１４，３５３ｄ−１６を介して駆動信号選択回路２００−９に入力される。また、駆動信号ＶＯＵＴ９の基となる駆動信号ＣＯＭＢ９は、配線１９７ｃ−１０，１９７ｃ−１２で伝搬される。そして、駆動信号ＣＯＭＢ９は、接触部１８０ｃ−１０，１８０ｃ−１２、及び端子３５３ｃ−１０，３５３ｃ−１２を介して駆動信号選択回路２００−９に入力される。また、電圧ＶＢＳ９は、配線１９７ｃ−９，１９７ｃ−１１，１９７ｄ−１３，１９７ｄ−１５で伝搬される。そして、電圧ＶＢＳ９は、接触部１８０ｃ−９，１８０ｃ−１１，１８０ｄ−１３，１８０ｄ−１５、及び端子３５３ｃ−９，３５３ｃ−１１，３５３ｄ−１３，３５３ｄ−１５を介して、当該圧電素子６０の他端に供給される。
【０１４６】
ノズル列Ｌ２ｄに含まれる圧電素子６０の一端に供給される駆動信号ＶＯＵＴ１０の基となる駆動信号ＣＯＭＡ１０は、配線１９７ｃ−１４，１９７ｃ−１６で伝搬される。そして、駆動信号ＣＯＭＡ１０は、接触部１８０ｃ−１４，１８０ｃ−１６、及び端子３５３ｃ−１４，３５３ｃ−１６を介して駆動信号選択回路２００−１０に入力される。また、駆動信号ＶＯＵＴ１０の基となる駆動信号ＣＯＭＢ１０は、配線１９７ｄ−１０，１９７ｄ−１２で伝搬される。そして、駆動信号ＣＯＭＢ１０は、接触部１８０ｄ−１０，１８０ｄ−１２、及び端子３５３ｄ−１０，３５３ｄ−１２を介して駆動信号選択回路２００−１０に入力される。また、電圧ＶＢＳ１０は、配線１９７ｃ−１３，１９７ｃ−１５，１９７ｄ−９，１９７ｄ−１１で伝搬される。そして、電圧ＶＢＳ１０は、接触部１８０ｃ−１３，１８０ｃ−１５，１８０ｄ−９，１８０ｄ−１１、及び端子３５３ｃ−１３，３５３ｃ−１５，３５３ｄ−９，３５３ｄ−１１を介して、当該圧電素子６０の他端に供給される。
【０１４７】
また、ノズル列Ｌ２ｅに含まれる圧電素子６０の一端に供給される駆動信号ＶＯＵＴ１１の基となる駆動信号ＣＯＭＡ１１は、配線１９７ｄ−６，１９７ｄ−８で伝搬される。そして、駆動信号ＣＯＭＡ１１は、接触部１８０ｄ−６，１８０ｄ−８、及び端子３５３ｄ−６，３５３ｄ−８を介して駆動信号選択回路２００−１１に入力される。また、駆動信号ＶＯＵＴ１１の基となる駆動信号ＣＯＭＢ１１は、配線１９７ｃ−１８，１９７ｃ−２０で伝搬される。そして、駆動信号ＣＯＭＢ１１は、接触部１８０ｃ−１８，１８０ｃ−２０、及び端子３５３ｃ−１８，３５３ｃ−２０を介して駆動信号選択回路２００−１１に入力される。また、電圧ＶＢＳ１１は、配線１９７ｃ−１７，１９７ｃ−１９，１９７ｄ−５，１９７ｄ−７で伝搬される。そして、電圧ＶＢＳ１１は、接触部１８０ｃ−１７，１８０ｃ−１９，１８０ｄ−５，１８０ｄ−７、及び端子３５３ｃ−１７，３５３ｃ−１９，３５３ｄ−５，３５３ｄ−７を介して、当該圧電素子６０の他端に供給される。
【０１４８】
ノズル列Ｌ２ｆに含まれる圧電素子６０の一端に供給される駆動信号ＶＯＵＴ１２の基となる駆動信号ＣＯＭＡ１２は、配線１９７ｃ−２２，１９７ｃ−２４で伝搬される。そして、駆動信号ＣＯＭＡ１２は、接触部１８０ｃ−２２，１８０ｃ−２４、及び端子３５３ｃ−２２，３５３ｃ−２４を介して駆動信号選択回路２００−１２に入力される。また、駆動信号ＶＯＵＴ１２の基となる駆動信号ＣＯＭＢ１２は、配線１９７ｄ−２，１９７ｄ−４で伝搬される。そして、駆動信号ＣＯＭＢ１２は、接触部１８０ｄ−２，１８０ｄ−４、及び端子３５３ｄ−２，３５３ｄ−４を介して駆動信号選択回路２００−１２に入力される。また、電圧ＶＢＳ１２は、配線１９７ｃ−２２，１９７ｃ−２４，１９７ｄ−２，１９７ｄ−４で伝搬される。そして、電圧ＶＢＳ１２は、接触部１８０ｃ−２２，１８０ｃ−２４，１８０ｄ−２，１８０ｄ−４、及び端子３５３ｃ−２２，３５３ｃ−２４，３５３ｄ−２，３５３ｄ−４を介して、当該圧電素子６０の他端に供給される。
【０１４９】
図２１は、ケーブル１９ｅで伝搬され、コネクター３５０ｅを介して液体吐出ヘッド２１に入力される信号の詳細を示す図である。図２１に示すようにケーブル１９ｅは、複数の駆動信号選択回路２００に供給されるグラウンド信号ＧＮＤ１、電圧ＶＨＶを含む複数の制御信号を伝搬する。そして、ケーブル１９ｅで伝搬された複数の制御信号は、コネクター３５０ｅを介して、液体吐出ヘッド２１に供給される。
【０１５０】
具体的には、グラウンド信号ＧＮＤ１は、配線１９７ｅ−２，１９７ｅ−４〜１９７ｅ−１９のそれぞれで伝搬される。そして、グラウンド信号ＧＮＤ１は、接触部１８０ｅ−２，１８０ｅ−４〜１８０ｅ−１９のそれぞれ、及び液体吐出ヘッド２１が有する端子３５３ｅ−３，３５３ｅ−４〜３５３ｅ−１９のそれぞれを介して駆動信号選択回路２００−１〜２００−１２に入力される。また、電圧ＶＨＶは、配線１９７ｅ−１で伝搬される。そして、電圧ＶＨＶは、接触部１８０ｅ−１、及び液体吐出ヘッド２１が有する端子３５３ｅ−１を介して駆動信号選択回路２００−１〜２００−１２に入力される。また、電圧ＶＤＤは、配線１９７ｅ−２０〜１９７ｅ−２３のそれぞれで伝搬される。そして、電圧ＶＤＤは、接触部１８０ｅ−２０〜１８０ｅ−２３のそれぞれ、及び液体吐出ヘッド２１が有する端子３５３ｅ−２０〜３５３ｅ−２３のそれぞれを介して復元回路１３０、及び駆動信号選択回路２００−１〜２００−１２に入力される。
【０１５１】
また、ケーブル１９ｅは、液体吐出ヘッド２１の温度異常を示す信号である信号ＸＨＯＴ、液体吐出ヘッド２１の温度情報を示す信号ＴＨなどの複数の制御信号を伝搬する。そして、信号ＸＨＯＴ，ＴＨ等の複数の制御信号は、コネクター３５０ａを介して液体吐出ヘッド２１に入力される。
【０１５２】
図２２は、ケーブル１９ｆで伝搬され、コネクター３５０ｆを介して液体吐出ヘッド２１に入力される信号の詳細を示す図である。図２２に示すようにケーブル１９ｆは、差動クロック信号ｄＳＣＫ、差動印刷データ信号ｄＳＩ７〜ｄＳＩ１２を含む差動信号と、基ラッチ信号ｏＬＡＴ、基チェンジ信号ｏＣＨａ，ｏＣＨｂ、グラウンド信号ＧＮＤ１，ＧＮＤ２を含むシングルエンド信号とを含む複数の制御信号を伝搬する。そして、ケーブル１９ｆで伝搬された複数の制御信号は、コネクター３５０ｆを介して、液体吐出ヘッド２１に供給される。
【０１５３】
一対の差動クロック信号ｄＳＣＫは、配線１９７ｆ−４，１９７ｆ−５で伝搬される。具体的には、一対の差動クロック信号ｄＳＣＫの内の一方の信号ｄＳＣＫ＋は、配線１９７ｆ−４で伝搬される。そして、信号ｄＳＣＫ＋は、接触部１８０ｆ−４、及び液体吐出ヘッド２１が有する端子３５３ｆ−４を介して、復元回路１３０に入力される。また、一対の差動クロック信号ｄＳＣＫの内の他方の信号ｄＳＣＫ−は、配線１９７ｆ−５で伝搬される。そして、信号ｄＳＣＫ−は、接触部１８０ｆ−５、及び液体吐出ヘッド２１が有
する端子３５３ｆ−５を介して、復元回路１３０に入力される。
【０１５４】
一対の差動印刷データ信号ｄＳＩ７〜ｄＳＩ１２のそれぞれは、配線１９７ｆ−７〜１９７ｆ−１８のそれぞれで伝搬される。具体的には、一対の差動印刷データ信号ｄＳＩ７〜ｄＳＩ１２のそれぞれの一方の信号ｄＳＩ７＋，ｄＳＩ８＋，ｄＳＩ９＋，ｄＳＩ１０＋，ｓＤＩ１１＋，ｓＤＩ１２＋は、配線１９７ｆ−７，１９７ｆ−９，１９７ｆ−１１，１９７ｆ−１３，１９７ｆ−１５，１９７ｆ−１７のそれぞれで伝搬される。そして、信号ｄＳＩ７＋，ｄＳＩ８＋，ｄＳＩ９＋，ｄＳＩ１０＋，ｓＤＩ１１＋，ｓＤＩ１２＋のそれぞれは、接触部１８０ｆ−７，１８０ｆ−９，１８０ｆ−１１，１８０ｆ−１３，１８０ｆ−１５，１８０ｆ−１７のそれぞれ、及び液体吐出ヘッド２１が有する端子３５３ｆ−７，３５３ｆ−９，３５３ｆ−１１，３５３ｆ−１３，３５３ｆ−１５，３５３ｆ−１７のそれぞれを介して、復元回路１３０に入力される。また、一対の差動印刷データ信号ｄＳＩ７〜ｄＳＩ１２のそれぞれの他方の信号ｄＳＩ７−，ｄＳＩ８−，ｄＳＩ９−，ｄＳＩ１０−，ｓＤＩ１１−，ｓＤＩ１２−は、配線１９７ｆ−８，１９７ｆ−１０，１９７ｆ−１２，１９７ｆ−１４，１９７ｆ−１６，１９７ｆ−１８のそれぞれで伝搬される。そして、信号ｄＳＩ７−，ｄＳＩ８−，ｄＳＩ９−，ｄＳＩ１０−，ｓＤＩ１１−，ｓＤＩ１２−のそれぞれは、接触部１８０ｆ−８，１８０ｆ−１０，１８０ｆ−１２，１８０ｆ−１４，１８０ｆ−１６，１８０ｆ−１８のそれぞれ、及び液体吐出ヘッド２１が有する端子３５３ｆ−８，３５３ｆ−１０，３５３ｆ−１２，３５３ｆ−１４，３５３ｆ−１６，３５３ｆ−１８のそれぞれを介して、復元回路１３０に入力される。
【０１５５】
基ラッチ信号ｏＬＡＴは、配線１９７ｆ−２０で伝搬される。そして、基ラッチ信号ｏＬＡＴは、接触部１８０ｆ−２０、及び液体吐出ヘッド２１が有する端子３５３ｆ−２０を介して、復元回路１３０に入力される。また、基チェンジ信号ｏＣＨａは、配線１９７ｆ−２２で伝搬される。そして、基チェンジ信号ｏＣＨＡは、接触部１８０ｆ−２２、及び液体吐出ヘッド２１が有する端子３５３ｆ−２２を介して、復元回路１３０に入力される。また、基チェンジ信号ｏＣＨｂは、配線１９７ｆ−２３で伝搬される。そして、基チェンジ信号ｏＣＨｂは、接触部１８０ｆ−２３、及び液体吐出ヘッド２１が有する端子３５３ｆ−２３を介して、復元回路１３０に入力される。
【０１５６】
グラウンド信号ＧＮＤ１は、配線１９７ｆ−１９，１９７ｆ−２１で伝搬される。そして、グラウンド信号ＧＮＤ１は、接触部１８０ｆ−１９，１８０ｆ−２１、及び液体吐出ヘッド２１が有する端子３５３ｆ−１９，３５３ｆ−２１を介して、駆動信号選択回路２００−１〜２００−１２に入力される。また、グラウンド信号ＧＮＤ２は、配線１９７ｆ−３，１９７ｆ−６で伝搬される。そして、グラウンド信号ＧＮＤ２は、接触部１８０ｆ−３，１８０ｆ−６、及び液体吐出ヘッド２１が有する端子３５３ｆ−３，３５３ｆ−６を介して、復元回路１３０に入力される。
【０１５７】
また、ケーブル１９ｆは、液体吐出ヘッド２１からのインクの吐出状態を検出する信号ＮＶＴＳ、当該信号ＮＶＴＳによるインクの吐出状態の検出タイミングを規定する信号ＴＳＩＧ、液体吐出ヘッド２１が有する複数の圧電素子６０を強制的に駆動させる信号ＮＣＨＧなどの複数の制御信号を伝搬する。そして、信号ＮＶＴＳ，ＴＳＩＧ，ＮＣＨＧ等の複数の制御信号は、コネクター３５０ｆを介して液体吐出ヘッド２１に入力される。
【０１５８】
図２３は、ケーブル１９ｇで伝搬され、コネクター３５０ｇを介して液体吐出ヘッド２１に入力される信号の詳細を示す図である。また、図２４は、ケーブル１９ｈで伝搬され、コネクター３５０ｇを介して液体吐出ヘッド２１に入力される信号の詳細を示す図である。図２３及び図２４に示すように、ケーブル１９ｇ、及びケーブル１９ｈは、ノズル列Ｌ１ａ〜Ｌ１ｆに含まれる圧電素子６０の一端に供給される駆動信号ＶＯＵＴ１〜ＶＯＵＴ６のそれぞれの基となる駆動信号ＣＯＭＡ１〜ＣＯＭＡ６，ＣＯＭＢ１〜ＣＯＭＢ６と
、当該圧電素子６０の他端に供給される電圧ＶＢＳ１〜電圧ＶＢＳ６とを伝搬する。
【０１５９】
具体的には、ノズル列Ｌ１ａに含まれる圧電素子６０の一端に供給される駆動信号ＶＯＵＴ１の基となる駆動信号ＣＯＭＡ１は、配線１９７ｈ−２２，１９７ｈ−２４で伝搬される。そして、駆動信号ＣＯＭＡ１は、接触部１８０ｈ−２２，１８０ｈ−２４、及び端子３５３ｈ−２２，３５３ｈ−２４を介して駆動信号選択回路２００−１に入力される。また、駆動信号ＶＯＵＴ１の基となる駆動信号ＣＯＭＢ１は、配線１９７ｇ−２，１９７ｇ−４で伝搬される。そして、駆動信号ＣＯＭＢ１は、接触部１８０ｇ−２，１８０ｇ−４、及び端子３５３ｇ−２，３５３ｇ−４を介して駆動信号選択回路２００−１に入力される。また、電圧ＶＢＳ１は、配線１９７ｇ−１，１９７ｇ−３，１９７ｈ−２１，１９７ｈ−２３で伝搬される。そして、電圧ＶＢＳ１は、接触部１８０ｇ−１，１８０ｇ−３，１８０ｈ−２１，１８０ｈ−２３、及び端子３５３ｇ−１，３５３ｇ−３，３５３ｈ−２１，３５３ｈ−２３を介して、当該圧電素子６０の他端に供給される。
【０１６０】
また、ノズル列Ｌ１ｂに含まれる圧電素子６０の一端に供給される駆動信号ＶＯＵＴ２の基となる駆動信号ＣＯＭＡ２は、配線１９７ｇ−６，１９７ｇ−８で伝搬される。そして、駆動信号ＣＯＭＡ２は、接触部１８０ｇ−６，１８０ｇ−８、及び端子３５３ｇ−６，３５３ｇ−８を介して駆動信号選択回路２００−２に入力される。また、駆動信号ＶＯＵＴ２の基となる駆動信号ＣＯＭＢ２は、配線１９７ｈ−１８，１９７ｈ−２０で伝搬される。そして、駆動信号ＣＯＭＢ２は、接触部１８０ｈ−１８，１８０ｈ−２０、及び端子３５３ｈ−１８，３５３ｈ−２０を介して駆動信号選択回路２００−２に入力される。また、電圧ＶＢＳ２は、配線１９７ｇ−５，１９７ｇ−７，１９７ｈ−１７，１９７ｈ−１９で伝搬される。そして、電圧ＶＢＳ２は、接触部１８０ｇ−５，１８０ｇ−７，１８０ｈ−１７，１８０ｈ−１９、及び端子３５３ｇ−５，３５３ｇ−７，３５３ｈ−１７，３５３ｈ−１９を介して、当該圧電素子６０の他端に供給される。
【０１６１】
また、ノズル列Ｌ１ｃに含まれる圧電素子６０の一端に供給される駆動信号ＶＯＵＴ３の基となる駆動信号ＣＯＭＡ３は、配線１９７ｈ−１４，１９７ｈ−１６で伝搬される。そして、駆動信号ＣＯＭＡ３は、接触部１８０ｈ−１４，１８０ｈ−１６、及び端子３５３ｈ−１４，３５３ｈ−１６を介して駆動信号選択回路２００−３に入力される。また、駆動信号ＶＯＵＴ３の基となる駆動信号ＣＯＭＢ３は、配線１９７ｇ−１０，１９７ｇ−１２で伝搬される。そして、駆動信号ＣＯＭＢ３は、接触部１８０ｇ−１０，１８０ｇ−１２、及び端子３５３ｇ−１０，３５３ｇ−１２を介して駆動信号選択回路２００−３に入力される。また、電圧ＶＢＳ３は、配線１９７ｇ−９，１９７ｇ−１１，１９７ｈ−１３，１９７ｈ−１５で伝搬される。そして、電圧ＶＢＳ３は、接触部１８０ｇ−９，１８０ｇ−１１，１８０ｈ−１３，１８０ｈ−１５、及び端子３５３ｇ−９，３５３ｇ−１１，３５３ｈ−１３，３５３ｈ−１５を介して、当該圧電素子６０の他端に供給される。
【０１６２】
また、ノズル列Ｌ１ｄに含まれる圧電素子６０の一端に供給される駆動信号ＶＯＵＴ４の基となる駆動信号ＣＯＭＡ４は、配線１９７ｇ−１４，１９７ｇ−１６で伝搬される。そして、駆動信号ＣＯＭＡ４は、接触部１８０ｇ−１４，１８０ｇ−１６、及び端子３５３ｈ−１４，３５３ｈ−１６を介して駆動信号選択回路２００−４に入力される。また、駆動信号ＶＯＵＴ４の基となる駆動信号ＣＯＭＢ４は、配線１９７ｈ−１０，１９７ｈ−１２で伝搬される。そして、駆動信号ＣＯＭＢ４は、接触部１８０ｈ−１０，１８０ｈ−１２、及び端子３５３ｈ−１０，３５３ｈ−１２を介して駆動信号選択回路２００−４に入力される。また、電圧ＶＢＳ４は、配線１９７ｇ−１３，１９７ｇ−１５，１９７ｈ−９，１９７ｈ−１１で伝搬される。そして、電圧ＶＢＳ４は、接触部１８０ｇ−１３，１８０ｇ−１５，１８０ｈ−９，１８０ｈ−１１、及び端子３５３ｇ−１３，３５３ｇ−１５，３５３ｈ−９，３５３ｈ−１１を介して、当該圧電素子６０の他端に供給される。
【０１６３】
また、ノズル列Ｌ１ｅに含まれる圧電素子６０の一端に供給される駆動信号ＶＯＵＴ５の基となる駆動信号ＣＯＭＡ５は、配線１９７ｈ−６，１９７ｈ−８で伝搬される。そして、駆動信号ＣＯＭＡ５は、接触部１８０ｈ−６，１８０ｈ−８、及び端子３５３ｈ−６，３５３ｈ−８を介して駆動信号選択回路２００−５に入力される。また、駆動信号ＶＯＵＴ５の基となる駆動信号ＣＯＭＢ５は、配線１９７ｇ−１８，１９７ｇ−２０で伝搬される。そして、駆動信号ＣＯＭＢ５は、接触部１８０ｇ−１８，１８０ｇ−２０、及び端子３５３ｇ−１８，３５３ｇ−２０を介して駆動信号選択回路２００−５に入力される。また、電圧ＶＢＳ５は、配線１９７ｇ−１７，１９７ｇ−１９，１９７ｈ−５，１９７ｈ−７で伝搬される。そして、電圧ＶＢＳ５は、接触部１８０ｇ−１７，１８０ｇ−１９，１８０ｈ−５，１８０ｈ−７、及び端子３５３ｇ−１７，３５３ｇ−１９，３５３ｈ−５，３５３ｈ−７を介して、当該圧電素子６０の他端に供給される。
【０１６４】
また、ノズル列Ｌ１ｆに含まれる圧電素子６０の一端に供給される駆動信号ＶＯＵＴ６の基となる駆動信号ＣＯＭＡ６は、配線１９７ｇ−２２，１９７ｇ−２４で伝搬される。そして、駆動信号ＣＯＭＡ６は、接触部１８０ｇ−２２，１８０ｇ−２４、及び端子３５３ｈ−２２，３５３ｈ−２４を介して駆動信号選択回路２００−６に入力される。また、駆動信号ＶＯＵＴ６の基となる駆動信号ＣＯＭＢ６は、配線１９７ｈ−２，１９７ｈ−４で伝搬される。そして、駆動信号ＣＯＭＢ６は、接触部１８０ｈ−２，１８０ｈ−４、及び端子３５３ｈ−２，３５３ｈ−４を介して駆動信号選択回路２００−６に入力される。また、電圧ＶＢＳ６は、配線１９７ｇ−２２，１９７ｇ−２４，１９７ｈ−２，１９７ｈ−４で伝搬される。そして、電圧ＶＢＳ６は、接触部１８０ｇ−２２，１８０ｇ−２４，１８０ｈ−２，１８０ｈ−４、及び端子３５３ｇ−２２，３５３ｇ−２４，３５３ｈ−２，３５３ｈ−４を介して、当該圧電素子６０の他端に供給される。
【０１６５】
１．７  作用効果
以上のように構成された液体吐出装置１、液体吐出ヘッド制御回路１５、及び液体吐出ヘッド２１において、液体吐出ヘッド２１を制御する複数の制御信号の内のクロック信号は、一対の差動クロック信号ｄＳＣＫに変換され、液体吐出ヘッド制御回路１５から液体吐出ヘッド２１に伝搬される。この場合において、一対の差動クロック信号ｄＳＣＫの内の一方が信号ｄＳＣＫ＋が伝搬される配線１９７ｂ−４、端子３５３ｂ−４、及び接触部１８０ｂ−４は、一対の差動クロック信号ｄＳＣＫをクロック信号ＳＣＫに復元する復元回路１３０のグラウンド信号ＧＮＤ２が伝搬される配線１９７ｂ−３、端子３５３ｂ−３、及び接触部１８０ｂ−３と隣り合って位置し、一対の差動クロック信号ｄＳＣＫの内の他方が信号ｄＳＣＫ−が伝搬される配線１９７ｂ−５、端子３５３ｂ−５、及び接触部１８０ｂ−５は、復元回路１３０のグラウンド信号ＧＮＤ２が伝搬される配線１９７ｂ−６、端子３５３ｂ−６、及び接触部１８０ｂ−５と隣り合って位置する。これにより、一対の差動クロック信号ｄＳＣＫが復元回路１３０に伝搬される伝搬経路を短くすることが可能となり、一対の差動クロック信号ｄＳＣＫに歪みが生じるおそれを低減することが可能になるとともに、外来ノイズが一対の差動クロック信号ｄＳＣＫに重畳するおそれを低減することができる。
【０１６６】
２  第２実施形態
第２実施形態における液体吐出装置１、液体吐出ヘッド制御回路１５、及び液体吐出ヘッド２１について説明する。第２実施形態における液体吐出ヘッド制御回路１５は、第１実施形態における液体吐出ヘッド制御回路１５に対して、復元回路１３０に供給されるグラウンド信号ＧＮＤ２が伝搬される配線１９７ｂ−３と隣り合う配線１９７ｂ−４は、一対の差動印刷データ信号ｄＳＩ１の一方の信号ｄＳＩ１＋を伝搬し、グラウンド信号ＧＮＤ２が伝搬される配線１９７ｂ−６と隣り合う配線１９７ｂ−５は、一対の差動印刷データ信号ｄＳＩ１の他方の信号ｄＳＩ１−を伝搬する点で第１実施形態における液体吐出ヘッド制御回路１５と異なる。
【０１６７】
また、第２実施形態における液体吐出ヘッド２１は、第１実施形態における液体吐出ヘッド２１に対して、復元回路１３０に供給されるグラウンド信号ＧＮＤ２が入力される端子３５３ｂ−３と隣り合う端子３５３ｂ−４は、一対の差動印刷データ信号ｄＳＩ１の一方の信号ｄＳＩ１＋を入力し、グラウンド信号ＧＮＤ２が入力される端子３５３ｂ−６と隣り合う端子３５３ｂ−５は、一対の差動印刷データ信号ｄＳＩ１の他方の信号ｄＳＩ１−を入力する点で第１実施形態における液体吐出ヘッド２１と異なる。
【０１６８】
また、第２実施形態における液体吐出装置１は、第１実施形態における液体吐出装置１に対して、復元回路１３０に供給されるグラウンド信号ＧＮＤ２が入力される接触部１８０ｂ−３と隣り合う接触部１８０ｂ−４は、一対の差動印刷データ信号ｄＳＩ１の一方の信号ｄＳＩ１＋を入力し、グラウンド信号ＧＮＤ２が入力される接触部１８０ｂ−６と隣り合う接触部１８０ｂ−５は、一対の差動印刷データ信号ｄＳＩ１の他方の信号ｄＳＩ１−を入力する点で第１実施形態における液体吐出ヘッド２１と異なる。
【０１６９】
なお、第２実施形態における液体吐出装置１、液体吐出ヘッド制御回路１５、及び液体吐出ヘッド２１を説明するにあたり、第１実施形態と同一の構成には同じ符号を付し、第１実施形態と同一の構成についての説明を省略する。
【０１７０】
図２５は、第２実施形態のケーブル１９ｂで伝搬され、コネクター３５０ｂを介して液体吐出ヘッド２１に入力される信号の詳細を示す図である。図２５に示すように、第２実施形態における液体吐出ヘッド制御回路１５では、一対の差動印刷データ信号ｄＳＩ１の内の一方の信号ｄＳＩ１＋を伝搬する配線１９７ｂ−４と、復元回路１３０に供給されるグラウンド信号ＧＮＤ２が伝搬される配線１９７ｂ−３とが隣り合って位置し、一対の差動印刷データ信号ｄＳＩ１の内の他方の信号ｄＳＩ１−を伝搬する配線１９７ｂ−５と、復元回路１３０に供給されるグラウンド信号ＧＮＤ２が伝搬される配線１９７ｂ−６とが隣り合って位置する。
【０１７１】
また、第２実施形態における液体吐出ヘッド２１では、一対の差動印刷データ信号ｄＳＩ１の内の一方の信号ｄＳＩ１＋が入力される端子３５３ｂ−４と、復元回路１３０に供給されるグラウンド信号ＧＮＤ２が入力される端子３５３ｂ−３とが隣り合って位置し、一対の差動印刷データ信号ｄＳＩ１の内の他方の信号ｄＳＩ１−が入力される端子３５３ｂ−５と、復元回路１３０に供給されるグラウンド信号ＧＮＤ２が入力される端子３５３ｂ−６とが隣り合って位置する。
【０１７２】
また、第２実施形態における液体吐出装置１では、一対の差動印刷データ信号ｄＳＩ１の内の一方の信号ｄＳＩ１＋が入力される接触部１８０ｂ−４と、復元回路１３０に供給されるグラウンド信号ＧＮＤ２が入力される接触部１８０ｂ−３とが隣り合って位置し、一対の差動印刷データ信号ｄＳＩ１の内の他方の信号ｄＳＩ１−が入力される接触部１８０ｂ−５と、復元回路１３０に供給されるグラウンド信号ＧＮＤ２が入力される接触部１８０ｂ−６とが隣り合って位置する。
【０１７３】
以上のように構成された、第２実施形態における液体吐出ヘッド制御回路１５であっても、第１実施形態と同様に、差動印刷データ信号ｄＳＩ１が伝搬される配線１９７ｂ−４，１９７ｂ−５の両隣を、グラウンド信号ＧＮＤ２が伝搬される配線１９７ｂ−３，１９７ｂ−６とすることで、配線１９７ｂ−３，１９７ｂ−６がシールド配線として機能する。したがって、差動印刷データ信号ｄＳＩ１に外来ノイズが重畳するおそれを低減することが可能となる。さらに、差動印刷データ信号ｄＳＩ１をシールドするグラウンドを、復元回路１３０に供給されるグラウンド信号ＧＮＤ２とすることで、差動印刷データ信号ｄＳＩ１に基づき生じる電流経路を短くすることが可能となる。したがって、差動印刷デー
タ信号ｄＳＩ１に波形ひずみが生じるおそれを低減することが可能となる。
【０１７４】
同様に、第２実施形態における液体吐出ヘッド２１であっても、第１実施形態と同様に、差動印刷データ信号ｄＳＩ１が入力される端子３５３ｂ−４，３５３ｂ−５の両隣を、グラウンド信号ＧＮＤ２が入力される端子３５３ｂ−３，３５３ｂ−６とすることで、端子３５３ｂ−３，３５３ｂ−６がシールド端子として機能する。したがって、差動印刷データ信号ｄＳＩ１に外来ノイズが重畳するおそれを低減することが可能となる。さらに、差動印刷データ信号ｄＳＩ１をシールドするグラウンドを、復元回路１３０に供給されるグラウンド信号ＧＮＤ２とすることで、差動印刷データ信号ｄＳＩ１に基づき生じる電流経路を短くすることが可能となる。したがって、差動印刷データ信号ｄＳＩ１に波形ひずみが生じるおそれを低減することが可能となる。
【０１７５】
同様に、第２実施形態における液体吐出装置１であっても、第１実施形態と同様に、差動印刷データ信号ｄＳＩ１が入力される接触部１８０ｂ−４，１８０ｂ−５の両隣を、グラウンド信号ＧＮＤ２が入力される接触部１８０ｂ−３，１８０ｂ−６とすることで、接触部１８０ｂ−３，１８０ｂ−６がシールドとして機能する。したがって、差動印刷データ信号ｄＳＩ１に外来ノイズが重畳するおそれを低減することが可能となる。さらに、差動印刷データ信号ｄＳＩ１をシールドするグラウンドを、復元回路１３０に供給されるグラウンド信号ＧＮＤ２とすることで、差動印刷データ信号ｄＳＩ１に基づき生じる電流経路を短くすることが可能となる。したがって、差動印刷データ信号ｄＳＩ１に波形ひずみが生じるおそれを低減することが可能となる。
【０１７６】
３  第３実施形態
第３実施形態における液体吐出装置１、液体吐出ヘッド制御回路１５、及び液体吐出ヘッド２１について説明する。第３実施形態における液体吐出ヘッド制御回路１５は、第１実施形態における液体吐出ヘッド制御回路１５に対して、差動信号が伝搬される配線と、グラウンド信号ＧＮＤ２が伝搬される配線とが、Ｘ方向に沿って少なくとも一部が重なるように設けられている点で、第１実施形態とことなる。なお、第３実施形態を説明するにあたり、グラウンド信号ＧＮＤ２が伝搬される配線と対向する配線で伝搬される差動信号を、差動クロック信号ｄＳＣＫとして説明するが、差動印刷データ信号ｄＳＩ１であってもよい。
【０１７７】
また、第３実施形態における液体吐出ヘッド２１は、第１実施形態における液体吐出ヘッド制御回路１５に対して、差動信号が入力される端子と、グラウンド信号ＧＮＤ２が入力される端子とが、Ｘ方向に沿って少なくとも一部が重なるように設けられている点で、第１実施形態とことなる。また、第３実施形態における液体吐出装置１は、第１実施形態における液体吐出装置１に対して、差動信号が入力される接触部と、グラウンド信号ＧＮＤ２が入力される接触部とが、Ｘ方向に沿って少なくとも一部が重なるように設けられている点で、第１実施形態とことなる。なお、第３実施形態を説明するにあたり、グラウンド信号ＧＮＤ２が入力される端子、及び接触部と対向する端子、及び接触部に入力される差動信号を、差動クロック信号ｄＳＣＫとして説明するが、差動印刷データ信号ｄＳＩ１であってもよい。
【０１７８】
なお、第３実施形態における液体吐出装置１、液体吐出ヘッド制御回路１５、及び液体吐出ヘッド２１を説明するにあたり、第１実施形態と同一の構成には同じ符号を付し、第１実施形態と同一の構成についての説明を省略する。
【０１７９】
図２６は、第３実施形態のケーブル１９ａで伝搬され、コネクター３５０ａを介して液体吐出ヘッド２１に入力される信号の詳細を示す図である。図２７は、第３実施形態のケーブル１９ｂで伝搬され、コネクター３５０ｂを介して液体吐出ヘッド２１に入力される
信号の詳細を示す図である。ここで、第３実施形態に液体吐出装置１、液体吐出ヘッド制御回路１５、及び液体吐出ヘッド２１では、ヘッド基板３２０を辺３２４から辺３２３に向かってＸ方向に沿って見た場合、すなわち、コネクター３５０ａが有する端子３５３ａ−１〜３５３ａ−ｐのそれぞれが並ぶ方向と交差する方向から見た場合に、コネクター３５０ａが有する端子３５３ａ−１〜３５３ａ−ｐのそれぞれと、コネクター３５０ｂが有する端子３５３ｂ−１〜３５３ｂ−ｐのそれぞれとの少なくとも一部が重なるように、コネクター３５０ａとコネクター３５０ｂとが設けられているとして説明する。具体的には、コネクター３５０ａが有する端子３５３ａ−１と、コネクター３５０ｂが有する端子３５３ｂ−ｐとの少なくとも一部が重なるように設けられ、コネクター３５０ａが有する端子３５３ａ−ｊ（ｊは１からｐのいずれか）と、コネクター３５０ｂが有する端子３５３ｂ−（（ｐ＋１）−ｊ）との少なくとも一部が重なるように設けられているとして説明する。
【０１８０】
図２６に示すように、ケーブル１９ａは、複数の駆動信号選択回路２００に供給されるグラウンド信号ＧＮＤ１，ＧＮＤ２、電圧ＶＨＶを含む複数の制御信号を伝搬する。そして、ケーブル１９ａで伝搬された複数の制御信号は、コネクター３５０ａを介して、液体吐出ヘッド２１に供給される。
【０１８１】
具体的には、グラウンド信号ＧＮＤ１は、配線１９７ａ−２，１９７ａ−４〜１９７ａ−１９のそれぞれで伝搬され、接触部１８０ａ−２，１８０ａ−４〜１８０ａ−１９、及び端子３５３ａ−３，３５３ａ−４〜３５３ａ−１９のそれぞれを介して液体吐出ヘッド２１に入力される。また、グラウンド信号ＧＮＤ２は、配線１９７ａ−２０，１９７ａ−２１のそれぞれで伝搬され、接触部１８０ａ−２０，１８０ａ−２１のそれぞれ、及び端子３５３ａ−２０，３５３ａ−２１のそれぞれを介して液体吐出ヘッド２１に入力される。また、電圧ＶＨＶは、配線１９７ａ−１で伝搬され、接触部１８０ａ−１、及び端子３５３ａ−１を介して液体吐出ヘッド２１に入力される。また、電圧ＶＤＤは、配線１９７ａ−２２，１９７ａ−２３のそれぞれで伝搬され、接触部１８０ａ−２２，１８０ａ−２３、及び端子３５３ａ−２２，３５３ａ−２３のそれぞれを介して液体吐出ヘッド２１に入力される。
【０１８２】
また、図２７に示すように、ヘッド基板３２０を辺３２４から辺３２３に向かってＸ方向に沿って見た場合に、グラウンド信号ＧＮＤ２が入力されるコネクター３５０ａの端子３５３ａ−２１と少なくとも一部が重なるように設けられるコネクター３５０ｂの端子３５３ｂ−４には、差動クロック信号ｄＳＣＫの一方の信号ｄＳＣＫ＋が入力され、グラウンド信号ＧＮＤ２が入力されるコネクター３５０ａの端子３５３ａ−２０と少なくとも一部が重なるように設けられるコネクター３５０ｂの端子３５３ｂ−５には、差動クロック信号ｄＳＣＫの他方の信号ｄＳＣＫ−が入力されている。
【０１８３】
すなわち、第３実施形態における液体吐出ヘッド２１では、端子３５３ｂ−４と端子３５３ｂ−５とが並ぶ方向と交差する方向において、グラウンド信号ＧＮＤ２が入力される端子３５３ａ−２１が、差動クロック信号ｄＳＣＫの一方の信号ｄＳＣＫ＋が入力される端子３５３ｂ−４と一部が重なって位置し、グラウンド信号ＧＮＤ２が入力される端子３５３ａ−２０が、差動クロック信号ｄＳＣＫの他方の信号ｄＳＣＫ−が入力される端子３５３ｂ−５と一部が重なって位置する。換言すれば、グラウンド信号ＧＮＤ２と差動クロック信号ｄＳＣＫとは異なるコネクター３５０に入力され、端子３５３ｂ−４と端子３５３ｂ−５とが並ぶ方向と交差する方向において、グラウンド信号ＧＮＤ２が入力される端子３５３ａ−２１と、差動クロック信号ｄＳＣＫの一方の信号ｄＳＣＫ＋が入力される端子３５３ｂ−４とが対向して位置し、グラウンド信号ＧＮＤ２が入力される端子３５３ａ−２０と、差動クロック信号ｄＳＣＫの他方の信号ｄＳＣＫ−が入力される端子３５３ｂ−５とが対向して位置する。
【０１８４】
ここで、対向して位置するとは、端子３５３ａ−ｋと端子３５３ｂ−ｋとの間が空間であることに限られるのもではない。例えば、端子３５３ａ−ｋと端子３５３ｂ−ｋとの間に、ヘッド基板３２０、コネクター３５０のハウジング３５１、ケーブル１９の絶縁体１９８などが介在してもよい。換言すれば、対向して位置するとは、特定の方向から見た場合に、端子３５３ａ−ｋと端子３５３ｂ−ｋとの間に、他の端子３５３が位置しないことを意味する。すなわち、グラウンド信号ＧＮＤ２が入力される端子３５３ａ−２１と、差動クロック信号ｄＳＣＫの一方の信号ｄＳＣＫ＋が入力される端子３５３ｂ−４との最短距離は、コネクター３５０ａが有するグラウンド信号ＧＮＤ１が入力される端子との最短距離よりも短く、グラウンド信号ＧＮＤ２が入力される端子３５３ａ−２０と、差動クロック信号ｄＳＣＫの他方の信号ｄＳＣＫ−が入力される端子３５３ｂ−５との最短距離の一方は、コネクター３５０ａが有するグラウンド信号ＧＮＤ１が入力される端子との最短距離よりも短い。ここで、最短距離とは、端子３５３間を直線で結ぶ場合の空間距離である。
【０１８５】
また、第３実施形態における液体吐出ヘッド制御回路１５では、配線１９７ｂ−４と配線１９７ｂ−５とが並ぶ方向と交差する方向において、グラウンド信号ＧＮＤ２が伝搬される配線１９７ａ−２１は、差動クロック信号ｄＳＣＫの一方の信号ｄＳＣＫ＋が伝搬される配線１９７ｂ−４と一部が重なって位置し、グラウンド信号ＧＮＤ２が伝搬される配線１９７ａ−２０は、差動クロック信号ｄＳＣＫの他方の信号ｄＳＣＫ−が伝搬される配線１９７ｂ−５と一部が重なって位置する。換言すれば、グラウンド信号ＧＮＤ２と差動クロック信号ｄＳＣＫとは異なるケーブル１９で伝搬され、配線１９７ｂ−４と配線１９７ｂ−５とが並ぶ方向と交差する方向において、グラウンド信号ＧＮＤ２が伝搬される配線１９７ａ−２１と、差動クロック信号ｄＳＣＫの一方の信号ｄＳＣＫ＋が伝搬される配線１９７ｂ−４とが対向して位置し、グラウンド信号ＧＮＤ２が伝搬される配線１９７ａ−２０と、差動クロック信号ｄＳＣＫの他方の信号ｄＳＣＫ−が伝搬される配線１９７ｂ−５とが対向して位置する。
【０１８６】
ここで、対向して位置するとは、配線１９７ａ−ｋと配線１９７ｂ−ｋとの間が空間であることに限られるのもではない。例えば、配線１９７ａ−ｋと配線１９７ｂ−ｋとの間に、ヘッド基板３２０、コネクター３５０のハウジング３５１、ケーブル１９の絶縁体１９８などが介在してもよい。
【０１８７】
また、第３実施形態における液体吐出装置１では、接触部１８０ｂ−４と接触部１８０ｂ−５とが並ぶ方向と交差する方向において、グラウンド信号ＧＮＤ２が入力される接触部１８０ａ−２１は、差動クロック信号ｄＳＣＫの一方の信号ｄＳＣＫ＋が入力される接触部１８０ｂ−４と一部が重なって位置し、グラウンド信号ＧＮＤ２が入力される接触部１８０ａ−２０は、差動クロック信号ｄＳＣＫの他方の信号ｄＳＣＫ−が入力される接触部１８０ｂ−５と一部が重なって位置する。換言すれば、グラウンド信号ＧＮＤ２と差動クロック信号ｄＳＣＫとは異なる接触部１８０を介して液体吐出ヘッド制御回路１５から液体吐出ヘッド２１に入力され、接触部１８０ｂ−４と接触部１８０ｂ−５とが並ぶ方向と交差する方向において、グラウンド信号ＧＮＤ２が入力される接触部１８０ａ−２１と、差動クロック信号ｄＳＣＫの一方の信号ｄＳＣＫ＋が入力される接触部１８０ｂ−４とが対向して位置し、グラウンド信号ＧＮＤ２が入力される接触部１８０ａ−２０と、差動クロック信号ｄＳＣＫの他方の信号ｄＳＣＫ−が入力される接触部１８０ｂ−５とが対向して位置する。
【０１８８】
ここで、対向して位置するとは、接触部１８０ａ−ｋと接触部１８０ｂ−ｋとの間が空間であることに限られるのもではない。例えば、接触部１８０ａ−ｋと接触部１８０ｂ−ｋとの間に、ヘッド基板３２０、コネクター３５０のハウジング３５１、ケーブル１９の
絶縁体１９８などが介在してもよい。換言すれば、対向して位置するとは、特定の方向から見た場合に、接触部１８０ａ−ｋと接触部１８０ｂ−ｋとの間に、他の接触部１８０が位置しないことを意味する。すなわち、グラウンド信号ＧＮＤ２が入力される接触部１８０ａ−２１と、差動クロック信号ｄＳＣＫの一方の信号ｄＳＣＫ＋が入力される接触部１８０ｂ−４との最短距離は、グラウンド信号ＧＮＤ１が入力される接触部１８０との最短距離よりも短く、グラウンド信号ＧＮＤ２が入力される接触部１８０ａ−２０と、差動クロック信号ｄＳＣＫの他方の信号ｄＳＣＫ−が入力される接触部１８０ｂ−５との最短距離の一方は、グラウンド信号ＧＮＤ１が入力される接触部１８０との最短距離よりも短い。ここで、最短距離とは、接触部１８０間を直線で結ぶ場合の空間距離である。
【０１８９】
以上のように構成された、第３実施形態における液体吐出装置１、液体吐出ヘッド制御回路１５、及び液体吐出ヘッド２１であっても、差動クロック信号ｄＳＣＫと対向して配置されるグラウンドを、復元回路１３０に供給されるグラウンド信号ＧＮＤ２とすることで、差動クロック信号ｄＳＣＫに基づき生じる電流経路を短くすることが可能となる。したがって、差動クロック信号ｄＳＣＫに波形ひずみが生じるおそれを低減することが可能となる。
【０１９０】
なお、グラウンド信号ＧＮＤ２が伝搬される配線と、差動クロック信号ｄＳＣＫの一方の信号ｄＳＣＫ＋が伝搬される配線との少なくとも一部が重なって位置し、グラウンド信号ＧＮＤ２が伝搬される配線と、差動クロック信号ｄＳＣＫの他方の信号ｄＳＣＫ−が伝搬される配線との少なくとも一部が重なって位置していればよく、上述のコネクター３５０ａ，３５０ｂの配置に限られるものではない。
【０１９１】
以上、実施形態及び変形例について説明したが、本発明はこれらの実施形態に限られるものではなく、その要旨を逸脱しない範囲において種々の態様で実施することが可能である。例えば、上記の実施形態を適宜組み合わせることも可能である。
【０１９２】
本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【０１９３】
１…液体吐出装置、２…液体容器、１０…制御機構、１１…メイン基板、１２…コネクター、１５…液体吐出ヘッド制御回路、１９…ケーブル、２０…キャリッジ、２１…液体吐出ヘッド、３０…移動機構、３１…キャリッジモーター、３２…無端ベルト、４０…搬送機構、４１…搬送モーター、４２…搬送ローラー、５０…駆動信号出力回路、５１…第１電源電圧出力回路、５２…第２電源電圧出力回路、６０…圧電素子、７０…変換回路、１００…制御回路、１３０…復元回路、１８０…接触部、１９１，１９２…短辺、１９３，１９４…長辺、１９５，１９６…端子、１９７…配線、１９８…絶縁体、２００…駆動信号選択回路、２２０…選択制御回路、２２２…シフトレジスター、２２４…ラッチ回路、２２６…デコーダー、２３０…選択回路、２３２ａ，２３２ｂ…インバーター、２３４ａ，２３４ｂ…トランスファーゲート、３１０…ヘッド、３１１…インク吐出面、３２０…ヘッド基板、３２１，３２２…面、３２３，３２４，３２５，３２６…辺、３３１ａ，３３１ｂ，３３１ｃ，３３１ｄ，３３１ｅ，３３１ｆ…ＦＰＣ挿通孔、３３２ａ，３３２ｂ，３３２ｃ，３３２ｄ，３３２ｅ，３３２ｆ…電極群、３４１ａ，３４１ｂ，３４１ｃ，３４１ｄ，３４１ｅ，３４１ｆ…ＦＰＣ挿通孔、３４２ａ，３４２ｂ，３４２ｃ，３４２ｄ，３４２ｅ，３４２ｆ…電極群、３５０…コネクター、３５０ａ…コネクター、３５１
…ハウジング、３５２…ケーブル取付部、３５３…端子、３５４…基板取付部、３５５…ハウジング挿通部、３５６…ケーブル保持部、６００…吐出部、６０１…圧電体、６１１，６１２…電極、６２１…振動板、６３１…キャビティー、６３２…ノズルプレート、６４１…リザーバー、６５１…ノズル、６６１…インク供給口
【図１】
2020104508.tif 000003
【図２】
2020104508.tif 000004
【図３】
2020104508.tif 000005
【図４】
2020104508.tif 000006
【図５】
2020104508.tif 000007
【図６】
2020104508.tif 000008
【図７】
2020104508.tif 000009
【図８】
2020104508.tif 000010
【図９】
2020104508.tif 000011
【図１０】
2020104508.tif 000012
【図１１】
2020104508.tif 000013
【図１２】
2020104508.tif 000014
【図１３】
2020104508.tif 000015
【図１４】
2020104508.tif 000016
【図１５】
2020104508.tif 000017
【図１６】
2020104508.tif 000018
【図１７】
2020104508.tif 000019
【図１８】
2020104508.tif 000020
【図１９】
2020104508.tif 000021
【図２０】
2020104508.tif 000022
【図２１】
2020104508.tif 000023
【図２２】
2020104508.tif 000024
【図２３】
2020104508.tif 000025
【図２４】
2020104508.tif 000026
【図２５】
2020104508.tif 000027
【図２６】
2020104508.tif 000028
【図２７】
2020104508.tif 000029